(57)【要約】本発明の一実施例による無線通信システムにおいて、干渉測定のための方法であって、前記方法は、端末によって行われ、半−持続的（ｓｅｍｉ−ｐｅｒｓｉｓｉｔｅｎｃｅ）チャネル状態情報−干渉測定（ｃｈａｎｎｅｌ ｓｔａｔｅ ｉｎｆｏｒｍａｔｉｏｎ−ｉｎｔｅｒｆｅｒｅｎｃｅ ｍｅａｓｕｒｅｍｅｎｔ；ＣＳＩ−ＩＭ）設定を含む干渉測定設定情報を受信するステップと、前記半−持続的ＣＳＩ−ＩＭ設定に対する測定を指示する要請を受信するステップと、前記受信された要請によって前記半−持続的ＣＳＩ−ＩＭ設定に対する測定を行うステップを含み、前記半−持続的ＣＳＩ−ＩＭ設定は、一定の時間区間に予め設定された周期のＣＳＩ−ＩＭを指示することができる。【選択図】図１５
2019535181.tif 000002
【特許請求の範囲】
【請求項１】
無線通信システムにおいて、干渉測定のための方法であって、前記方法は、端末によって行われ、
半−持続的（ｓｅｍｉ−ｐｅｒｓｉｓｉｔｅｎｃｅ）チャネル状態情報−干渉測定（ｃｈａｎｎｅｌ  ｓｔａｔｅ  ｉｎｆｏｒｍａｔｉｏｎ−ｉｎｔｅｒｆｅｒｅｎｃｅ  ｍｅａｓｕｒｅｍｅｎｔ；ＣＳＩ−ＩＭ）設定を含む干渉測定設定情報を受信するステップと、
前記半−持続的ＣＳＩ−ＩＭ設定に対する測定を指示する要請を受信するステップと、
前記受信された要請によって前記半−持続的ＣＳＩ−ＩＭ設定に対する測定を行うステップを含み、
前記半−持続的ＣＳＩ−ＩＭ設定は、一定の時間区間に予め設定された周期のＣＳＩ−ＩＭを指示することを特徴とする、干渉測定方法。
【請求項２】
前記半−持続的ＣＳＩ−ＩＭ設定に対する前記端末の測定が開始される時点に関する情報を受信するステップをさらに含むことを特徴とする、請求項１に記載の干渉測定方法。
【請求項３】
前記半−持続的ＣＳＩ−ＩＭ設定に対する測定の指示は、ＣＳＩ報告要請を含むか、前記ＣＳＩ報告要請と共に受信されることを特徴とする、請求項１に記載の干渉測定方法。
【請求項４】
前記ＣＳＩ報告要請は、前記半−持続的ＣＳＩ−ＩＭ設定の終了、非活性化又はオフ（ｏｆｆ）を指示することを特徴とする、請求項３に記載の干渉測定方法。
【請求項５】
前記半−持続的ＣＳＩ−ＩＭ設定に対する電力補償値に関する情報を受信するステップをさらに含むことを特徴とする、請求項１に記載の干渉測定方法。
【請求項６】
前記半−持続的ＣＳＩ−ＩＭ設定に対する測定の報告が、前記半−持続的ＣＳＩ−ＩＭ設定に対する測定の指示が受信されたサブフレームｍから予め決定された数（ｋ）のサブフレーム以後のサブフレームｍ＋ｋで行われるように決定される場合、
前記半−持続的ＣＳＩ−ＩＭ設定に対する測定の指示がＣＳＩ報告要請よりも先に受信されると、前記サブフレームｍ＋ｋ又はその後のサブフレームで受信されるＣＳＩ報告要請に対応する前記半−持続的ＣＳＩ−ＩＭ設定に対する測定の報告は省略されることを特徴とする、請求項１に記載の干渉測定方法。
【請求項７】
無線通信システムにおいて、干渉測定を行う端末であって、
送信機及び受信機と、
前記送信機及び受信機を制御するように構成されたプロセッサを含み、
前記プロセッサは、
半−持続的（ｓｅｍｉ−ｐｅｒｓｉｓｉｔｅｎｃｅ）チャネル状態情報−干渉測定（ｃｈａｎｎｅｌ  ｓｔａｔｅ  ｉｎｆｏｒｍａｔｉｏｎ−ｉｎｔｅｒｆｅｒｅｎｃｅ  ｍｅａｓｕｒｅｍｅｎｔ；ＣＳＩ−ＩＭ）設定を含む干渉測定設定情報を受信し、前記半−持続的ＣＳＩ−ＩＭ設定に対する測定を指示する要請を受信し、前記受信された要請によって前記半−持続的ＣＳＩ−ＩＭ設定に対する測定を行うように構成され、
前記半−持続的ＣＳＩ−ＩＭ設定は、一定の時間区間に予め設定された周期のＣＳＩ−ＩＭを指示することを特徴とする、端末。
【請求項８】
前記プロセッサは、前記半−持続的ＣＳＩ−ＩＭ設定に対する前記端末の測定が開始される時点に関する情報を受信するように構成されることを特徴とする、請求項７に記載の端末。
【請求項９】
前記半−持続的ＣＳＩ−ＩＭ設定に対する測定の指示は、ＣＳＩ報告要請を含むか、前記ＣＳＩ報告要請と共に受信されることを特徴とする、請求項７に記載の端末。
【請求項１０】
前記ＣＳＩ報告要請は、前記半−持続的ＣＳＩ−ＩＭ設定の終了、非活性化、又はオフ（ｏｆｆ）を指示することを特徴とする、請求項９に記載の端末。
【請求項１１】
前記プロセッサは、前記半−持続的ＣＳＩ−ＩＭ設定に対する電力補償値に関する情報を受信するように構成されることを特徴とする、請求項７に記載の端末。
【請求項１２】
前記半−持続的ＣＳＩ−ＩＭ設定に対する測定の報告が、前記半−持続的ＣＳＩ−ＩＭ設定に対する測定の指示が受信されたサブフレームｍから予め決定された数（ｋ）のサブフレーム以後のサブフレームｍ＋ｋで行われるように決定される場合、
前記半−持続的ＣＳＩ−ＩＭ設定に対する測定の指示がＣＳＩ報告要請よりも先に受信されると、前記サブフレームｍ＋ｋ又はその後のサブフレームで受信されるＣＳＩ報告要請に対応する前記半−持続的ＣＳＩ−ＩＭ設定に対する測定の報告は省略されることを特徴とする、請求項７に記載の端末。
【発明の詳細な説明】
【技術分野】
【０００１】
本発明は、無線通信システムに関し、具体的には、干渉測定のための方法及びそのための装置に関する。
【背景技術】
【０００２】
より多い通信機器がより大きい通信容量を要求することにより、既存の無線接続技術（ｒａｄｉｏ  ａｃｃｅｓｓ  ｔｅｃｈｎｏｌｏｇｙ；ＲＡＴ）に比べて向上したモバイル広帯域通信に対する必要性が台頭しつつある。また、複数の機器及びモノを連結していつでもどこでも様々なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考慮すべき重要なイシューの１つである。のみならず、信頼度（ｒｅｌｉａｂｉｌｉｔｙ）及びレイテンシ（ｌａｔｅｎｃｙ）に敏感なサービス／を考慮した通信システムデザインが論議されている。このように、ｅＭＢＢ（ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ（ｍａｓｓｉｖｅ  ＭＴＣ；ｍＭＴＣ）、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ）などを考慮した次世代ＲＡＴの導入が論議されており、本発明では、便宜のために、当該技術を新ＲＡＴ（Ｎｅｗ  ＲＡＴ）と称する。
【発明の概要】
【発明が解決しようとする課題】
【０００３】
本発明は、干渉測定のための方法を提案しようとする。より詳細には、干渉測定のための方法を提案しようとする。
【０００４】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００５】
本発明の一実施例による無線通信システムにおいて、干渉測定のための方法であって、前記方法は、端末によって行われ、半−持続的（ｓｅｍｉ−ｐｅｒｓｉｓｉｔｅｎｃｅ）チャネル状態情報−干渉測定（ｃｈａｎｎｅｌ  ｓｔａｔｅ  ｉｎｆｏｒｍａｔｉｏｎ−ｉｎｔｅｒｆｅｒｅｎｃｅ  ｍｅａｓｕｒｅｍｅｎｔ；ＣＳＩ−ＩＭ）設定を含む干渉測定設定情報を受信するステップと、前記半−持続的ＣＳＩ−ＩＭ設定に対する測定を指示する要請を受信するステップと、前記受信された要請によって前記半−持続的ＣＳＩ−ＩＭ設定に対する測定を行うステップを含み、前記半−持続的ＣＳＩ−ＩＭ設定は、一定の時間区間に予め設定された周期のＣＳＩ−ＩＭを指示することができる。
【０００６】
追加又は代案として、前記方法は、前記半−持続的ＣＳＩ−ＩＭ設定に対する前記端末の測定が開始される時点に関する情報を受信するステップをさらに含んでもよい。
【０００７】
追加又は代案として、前記半−持続的ＣＳＩ−ＩＭ設定に対する測定の指示は、ＣＳＩ報告要請を含むか、前記ＣＳＩ報告要請と共に受信されてもよい。
【０００８】
追加又は代案として、前記ＣＳＩ報告要請は、前記半−持続的ＣＳＩ−ＩＭ設定の終了、非活性化又はオフ（ｏｆｆ）を指示してもよい。
【０００９】
追加又は代案として、前記方法は、前記半−持続的ＣＳＩ−ＩＭ設定に対する電力補償値に関する情報を受信するステップをさらに含んでもよい。
【００１０】
追加又は代案として、前記半−持続的ＣＳＩ−ＩＭ設定に対する測定の報告が、前記半−持続的ＣＳＩ−ＩＭ設定に対する測定の指示が受信されたサブフレームｍから予め決定された数（ｋ）のサブフレーム以後のサブフレームｍ＋ｋで行われるように決定される場合、前記半−持続的ＣＳＩ−ＩＭ設定に対する測定の指示がＣＳＩ報告要請よりも先に受信されると、前記サブフレームｍ＋ｋ又はその後のサブフレームで受信されるＣＳＩ報告要請に対応する前記半−持続的ＣＳＩ−ＩＭ設定に対する測定の報告は省略されてもよい。
【００１１】
本発明の別の一実施例による無線通信システムにおいて、干渉測定を行う端末であって、送信機及び受信機と、前記送信機及び受信機を制御するように構成されたプロセッサを含み、前記プロセッサは、半−持続的（ｓｅｍｉ−ｐｅｒｓｉｓｉｔｅｎｃｅ）チャネル状態情報−干渉測定（ｃｈａｎｎｅｌ  ｓｔａｔｅ  ｉｎｆｏｒｍａｔｉｏｎ−ｉｎｔｅｒｆｅｒｅｎｃｅ  ｍｅａｓｕｒｅｍｅｎｔ；ＣＳＩ−ＩＭ）設定を含む干渉測定設定情報を受信して、前記半−持続的ＣＳＩ−ＩＭ設定に対する測定を指示する要請を受信して、また前記受信された要請によって前記半−持続的ＣＳＩ−ＩＭ設定に対する測定を行うように構成され、前記半−持続的ＣＳＩ−ＩＭ設定は、一定の時間区間に予め設定された周期のＣＳＩ−ＩＭを指示することができる。
【００１２】
追加又は代案として、前記プロセッサは、前記半−持続的ＣＳＩ−ＩＭ設定に対する前記端末の測定が開始される時点に関する情報を受信するように構成されてもよい。
【００１３】
追加又は代案として、前記半−持続的ＣＳＩ−ＩＭ設定に対する測定の指示は、ＣＳＩ報告要請を含むか、前記ＣＳＩ報告要請と共に受信されてもよい。
【００１４】
追加又は代案として、前記ＣＳＩ報告要請は、前記半−持続的ＣＳＩ−ＩＭ設定の終了、非活性化、又はオフ（ｏｆｆ）を指示してもよい。
【００１５】
追加又は代案として、前記プロセッサは、前記半−持続的ＣＳＩ−ＩＭ設定に対する電力補償値に関する情報を受信するように構成されてもよい。
【００１６】
追加又は代案として、前記半−持続的ＣＳＩ−ＩＭ設定に対する測定の報告が、前記半−持続的ＣＳＩ−ＩＭ設定に対する測定の指示が受信されたサブフレームｍから予め決定された数（ｋ）のサブフレーム以後のサブフレームｍ＋ｋで行われるように決定される場合、前記半−持続的ＣＳＩ−ＩＭ設定に対する測定の指示がＣＳＩ報告要請よりも先に受信されると、前記サブフレームｍ＋ｋ又はその後のサブフレームで受信されるＣＳＩ報告要請に対応する前記半−持続的ＣＳＩ−ＩＭ設定に対する測定の報告は省略されてもよい。
【００１７】
上述した課題解決方法は、本発明の実施例の一部に過ぎず、本願発明の技術的特徴が反映された様々な実施例が、当該技術の分野における通常的な知識を有する者にとって、以下に詳述する本発明の詳細な説明に基づいて導出され理解され得るだろう。
【発明の効果】
【００１８】
本発明の実施例によれば、干渉測定を効率的に行うことができる。
【００１９】
本発明で得られる効果は以上に言及した効果に制限されず、言及しなかった他の効果は下記の記載から本発明が属する当該技術分野における当業者に明確に理解されるであろう。
【図面の簡単な説明】
【００２０】
以下に添付する図面は、本発明に関する理解を助けるために詳細な説明の一部として含まれるものであり、本発明に関する実施例を提供し、詳細な説明と共に本発明の技術的思想を説明する。
【図１】無線通信システムで用いられる無線フレーム構造の一例を示す図である。
【図２】無線通信システムにおいて、下りリンク／上りリンク（ＤＬ／ＵＬ）スロット構造の一例を示す図である。
【図３】３ＧＰＰ  ＬＴＥ／ＬＴＥ−Ａシステムで用いられる下りリンク（ｄｏｗｎｌｉｎｋ，ＤＬ）サブフレーム構造の一例を示す図である。
【図４】３ＧＰＰ  ＬＴＥ／ＬＴＥ−Ａシステムで用いられる上りリンク（ｕｐｌｉｎｋ，ＵＬ）サブフレーム構造の一例を示す図である。
【図５】干渉チャネルを示す図である。
【図６】基準時点と干渉測定時点を示す図である。
【図７】基準時点と干渉測定時点を示す図である。
【図８】端末が経験可能な様々な干渉状況を示す図である。
【図９】チャネル状態情報−干渉測定指示又はチャネル状態情報要請によるフィードバックを示す図である。
【図１０】チャネル状態情報−干渉測定指示又はチャネル状態情報要請によるフィードバックを示す図である。
【図１１】チャネル状態情報−干渉測定指示又はチャネル状態情報要請によるフィードバックを示す図である。
【図１２】チャネル状態情報−干渉測定指示又はチャネル状態情報要請によるフィードバックを示す図である。
【図１３】半−持続的チャネル状態情報−干渉測定のオン、オフと非周期的チャネル状態情報要請の関係を示す図である。
【図１４】本発明の一実施例による端末の動作を示す図である。
【図１５】本発明の実施例を具現するための装置のブロック図である。
【発明を実施するための形態】
【００２１】
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。以下の詳細な説明は、本発明の完全な理解を提供するために具体的な細部事項を含む。しかし、このような具体的な細部事項無しにも本発明を実施可能であるということが当業者には理解できる。
【００２２】
場合によって、本発明の概念が曖昧になることを避けるために、公知の構造及び装置が省略されることもあり、各構造及び装置の核心機能を中心にしたブロック図の形式で図示されることもある。また、本明細書全体を通じて同一の構成要素には同一の図面符号を付して説明する。
【００２３】
本発明において、ユーザ機器(ｕｓｅｒ  ｅｑｕｉｐｍｅｎｔ，ＵＥ)は、固定していても、移動性を有していてもよいもので、基地局(ｂａｓｅ  ｓｔａｔｉｏｎ，ＢＳ)と通信してユーザデータ及び／又は各種制御情報を送受信する各種機器を含む。ＵＥを、端末(Ｔｅｒｍｉｎａｌ  Ｅｑｕｉｐｍｅｎｔ)、ＭＳ(Ｍｏｂｉｌｅ  Ｓｔａｔｉｏｎ)、ＭＴ(Ｍｏｂｉｌｅ  Ｔｅｒｍｉｎａｌ)、ＵＴ(Ｕｓｅｒ  Ｔｅｒｍｉｎａｌ)、ＳＳ(Ｓｕｂｓｃｒｉｂｅ  Ｓｔａｔｉｏｎ)、無線機器(ｗｉｒｅｌｅｓｓ  ｄｅｖｉｃｅ)、ＰＤＡ(Ｐｅｒｓｏｎａｌ  Ｄｉｇｉｔａｌ  Ａｓｓｉｓｔａｎｔ)、無線モデム(ｗｉｒｅｌｅｓｓ  ｍｏｄｅｍ)、携帯機器(ｈａｎｄｈｅｌｄ  ｄｅｖｉｃｅ)などと呼ぶこともできる。また、本発明において、ＢＳは一般に、ＵＥ及び／又は他のＢＳと通信する固定局(ｆｉｘｅｄ  ｓｔａｔｉｏｎ)を意味し、ＵＥ及び他のＢＳと通信して各種データ及び制御情報を交換する。ＢＳを、ＡＢＳ(Ａｄｖａｎｃｅｄ  Ｂａｓｅ  Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ  Ｔｒａｎｓｃｅｉｖｅｒ  Ｓｙｓｔｅｍ)、アクセスポイント(Ａｃｃｅｓｓ  Ｐｏｉｎｔ)、ＰＳ(Ｐｒｏｃｅｓｓｉｎｇ  Ｓｅｒｖｅｒ)、送信ポイント(ｔｒａｎｓｍｉｓｓｉｏｎ  ｐｏｉｎｔ；ＴＰ)などと呼ぶこともできる。以下の本発明に関する説明では、ＢＳをｅＮＢと総称する。
【００２４】
本発明でいうノード(ｎｏｄｅ)とは、ユーザ機器と通信して無線信号を送信／受信できる固定した地点(ｐｏｉｎｔ)を指す。様々な形態のｅＮＢをその名称にかかわらずノードとして用いることができる。例えば、ＢＳ、ＮＢ、ｅＮＢ、ピコ−セルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ  ｒｅｍｏｔｅ  ｈｅａｄ，ＲＲＨ)、無線リモートユニット(ｒａｄｉｏ  ｒｅｍｏｔｅ  ｕｎｉｔ，ＲＲＵ)であってもよい。ＲＲＨ、ＲＲＵなどは一般にｅＮＢの電力レベル(ｐｏｗｅｒ  ｌｅｖｅｌ)よりも低い電力レベルを有する。ＲＲＨ或いはＲＲＵ(以下、ＲＲＨ／ＲＲＵ)は一般に、光ケーブルなどの専用回線(ｄｅｄｉｃａｔｅｄ  ｌｉｎｅ)でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント(ｐｏｉｎｔ)と呼ばれることもある。アンテナが基地局に集中して位置して１つのｅＮＢコントローラ(ｃｏｎｔｒｏｌｌｅｒ)によって制御される既存の(ｃｏｎｖｅｎｔｉｏｎａｌ)中央集中型アンテナシステム(ｃｅｎｔｒａｌｉｚｅｄ  ａｎｔｅｎｎａ  ｓｙｓｔｅｍ，ＣＡＳ)(すなわち、単一ノードシステム)と違い、多重ノードシステムにおいて複数のノードは一般に一定間隔以上で離れて位置する。これらの複数のノードは、各ノードの動作を制御したり、各ノードを通して送／受信されるデータをスケジューリング(ｓｃｈｅｄｕｌｉｎｇ)する１つ以上のｅＮＢ或いはｅＮＢコントローラによって管理することができる。各ノードは、当該ノードを管理するｅＮＢ或いはｅＮＢコントローラとケーブル(ｃａｂｌｅ)或いは専用回線(ｄｅｄｉｃａｔｅｄ  ｌｉｎｅ)で接続することができる。多重ノードシステムにおいて、複数のノードへの／からの信号送信／受信には、同一のセル識別子(ｉｄｅｎｔｉｔｙ，ＩＤ)が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル(例えば、マクロ−セル／フェムト−セル／ピコ−セル)システムと見なすことができる。複数のノードのそれぞれが形成した多重セルがカバレッジによってオーバーレイする形態で構成されると、これらの多重セルが形成したネットワークを特に多重−階層(ｍｕｌｔｉ−ｔｉｅｒ)ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２５】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム(例えば、ＣＡＳ、従来のＭＩＭＯシステム、従来の中継システム、従来のリピータシステムなど)とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ(Ｃｒｏｓｓ  ｐｏｌａｒｉｚｅｄ)アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００２６】
複数の送信(Ｔｘ)／受信(Ｒｘ)ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ(Ｃｏｏｒｄｉｎａｔｅｄ  Ｍｕｌｔｉ−Ｐｏｉｎｔ  ＴＸ／ＲＸ)という。このようなノード間協調通信のうち、協調送信技法は、ＪＰ(ｊｏｉｎｔ  ｐｒｏｃｅｓｓｉｎｇ)とスケジューリング協調(ｓｃｈｅｄｕｌｉｎｇ  ｃｏｏｒｄｉｎａｔｉｏｎ)とに区別できる。前者はＪＴ(ｊｏｉｎｔ  ｔｒａｎｓｍｉｓｓｉｏｎ)／ＪＲ(ｊｏｉｎｔ  ｒｅｃｅｐｔｉｏｎ)とＤＰＳ(ｄｙｎａｍｉｃ  ｐｏｉｎｔ  ｓｅｌｅｃｔｉｏｎ)とに区別し、後者はＣＳ(ｃｏｏｒｄｉｎａｔｅｄ  ｓｃｈｅｄｕｌｉｎｇ)とＣＢ(ｃｏｏｒｄｉｎａｔｅｄ  ｂｅａｍｆｏｒｍｉｎｇ)とに区別できる。ＤＰＳは、ＤＣＳ(ｄｙｎａｍｉｃ  ｃｅｌｌ  ｓｅｌｅｃｔｉｏｎ)と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ(ｄｉｖｅｒｓｉｔｙ)によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００２７】
本発明でいうセル(ｃｅｌｌ)とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル(ｓｅｒｖｉｎｇ  ｃｅｌｌ)という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ ＬＥＴ−Ａベースのシステムにおいて、ＵＥは、特定ノードからの下りリンクチャネル状態を、前記特定ノードのアンテナポートが前記特定ノードに割り当てられたチャネルＣＳＩ−ＲＳ(Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ)リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成(ｒｅｓｏｕｒｃｅ  ｃｏｎｆｉｇｕｒａｔｉｏｎ)、サブフレームオフセット(ｏｆｆｓｅｔ)及び送信周期(ｔｒａｎｓｍｉｓｓｉｏｎ  ｐｅｒｉｏｄ)などによってＣＳＩ−ＲＳが割り当てられたサブフレームを特定するサブフレーム構成(ｓｕｂｆｒａｍｅ  ｃｏｎｆｉｇｕｒａｔｉｏｎ)、ＣＳＩ−ＲＳシーケンスのうちの少なくとも１つが互いに異なることを意味する。
【００２８】
本発明で、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  Ｃｈａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを搬送する時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いはを通じて、上りリンク制御情報／上りリンクデータ／ランダムアクセス信号を送信することと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いはを通じて、下りリンクデータ／制御情報を送信することと同じ意味で使われる。
【００２９】
図１は、無線通信システムで用いられる無線フレーム構造の一例を示す図である。特に、図１(ａ)は、３ＧＰＰ ＬＥＴ／ＬＥＴ−Ａシステムで用いられる周波数分割デュプレックス(ｆｒｅｑｕｅｎｃｙ  ｄｉｖｉｓｉｏｎ  ｄｕｐｌｅｘ，ＦＤＤ)用フレーム構造を示しており、図１(ｂ)は、３ＧＰＰ ＬＥＴ／ＬＥＴ−Ａシステムで用いられる時分割デュプレックス(ｔｉｍｅ  ｄｉｖｉｓｉｏｎ  ｄｕｐｌｅｘ，ＴＤＤ)用フレーム構造を示している。
【００３０】
図１を参照すると、３ＧＰＰ ＬＥＴ／ＬＥＴ−Ａシステムで用いられる無線フレームは、１０ｍｓ(３０７２００Ｔｓ)の長さを有し、１０個の均等なサイズのサブフレーム(ｓｕｂｆｒａｍｅ，ＳＦ)で構成される。1無線フレームにおける１０個のサブフレームにはそれぞれ番号を与えることができる。ここで、Ｔｓは、サンプリング時間を表し、Ｔｓ＝１／(２０４８＊１５ｋＨｚ)で表示される。それぞれのサブフレームは、１ｍｓの長さを有し、２個のスロットで構成される。1無線フレームにおいて２０個のスロットには０から１９までの番号を順次に与えることができる。それぞれのスロットは０．５ｍｓの長さを有する。１サブフレームを送信するための時間は、送信時間間隔(ｔｒａｎｓｍｉｓｓｉｏｎ  ｔｉｍｅ  ｉｎｔｅｒｖａｌ，ＴＴＩ)と定義される。時間リソースは、無線フレーム番号(或いは、無線フレームインデックスともいう)、サブフレーム番号(或いは、サブフレーム番号ともいう)、スロット番号(或いは、スロットインデックスともいう)などによって区別することができる。
【００３１】
無線フレームは、デュプレックス(ｄｕｐｌｅｘ)技法によって別々に構成(ｃｏｎｆｉｇｕｒｅ)することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３２】
表１は、ＴＤＤで、無線フレームにおけるサブフレームのＤＬ−ＵＬ構成(ｃｏｎｆｉｇｕｒａｔｉｏｎ)を例示するものである。
【００３３】
【表１】
2019535181.tif 000003
【００３４】
表１で、Ｄは下りリンクサブフレームを、Ｕは上りリンクサブフレームを、Ｓは特異(ｓｐｅｃｉａｌ)サブフレームを表す。特異サブフレームは、ＤｗＰＴＳ(Ｄｏｗｎｌｉｎｋ  Ｐｉｌｏｔ  ＴｉｍｅＳｌｏｔ)、ＧＰ(Ｇｕａｒｄ  Ｐｅｒｉｏｄ)、ＵｐＰＴＳ(Ｕｐｌｉｎｋ  Ｐｉｌｏｔ  ＴｉｍｅＳｌｏｔ)の３つのフィールドを含む。ＤｗＰＴＳは、下りリンク送信のために留保される時間区間であり、ＵｐＰＴＳは上りリンク送信のために留保される時間区間である。表２は、特異サブフレーム構成(ｃｏｎｆｉｇｕｒａｔｉｏｎ)を例示するものである。
【００３５】
【表２】
2019535181.tif 000004
【００３６】
図２は、無線通信システムにおいて下りリンク／上りリンク(ＤＬ／ＵＬ)スロット構造の一例を示す図である。特に、図２は、３ＧＰＰ ＬＥＴ／ＬＥＴ−Ａシステムのリソース格子(ｒｅｓｏｕｒｃｅ  ｇｒｉｄ)の構造を示す。アンテナポート当たりに１個のリソース格子がある。
【００３７】
図２を参照すると、スロットは、時間ドメインで複数のＯＦＤＭ(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ)シンボルを含み、周波数ドメインで複数のリソースブロック(ｒｅｓｏｕｒｃｅ  ｂｌｏｃｋ，ＲＢ)を含む。ＯＦＤＭシンボルは、１シンボル区間を意味することもある。図２を参照すると、各スロットで送信される信号は、
2019535181.tif 000005
個の副搬送波(ｓｕｂｃａｒｒｉｅｒ)と
2019535181.tif 000006
個のＯＦＤＭシンボルとで構成されるリソース格子(ｒｅｓｏｕｒｃｅ  ｇｒｉｄ)と表現することができる。ここで、
2019535181.tif 000007
は、下りリンクスロットにおけるリソースブロック(ｒｅｓｏｕｒｃｅ  ｂｌｏｃｋ，ＲＢ)の個数を表し、
2019535181.tif 000008
は、ＵＬスロットにおけるＲＢの個数を表す。
2019535181.tif 000009
と
2019535181.tif 000010
は、ＤＬ送信帯域幅とＵＬ送信帯域幅にそれぞれ依存する。
2019535181.tif 000011
は、下りリンクスロットにおけるＯＦＤＭシンボルの個数を表し、
2019535181.tif 000012
は、ＵＬスロットにおけるＯＦＤＭシンボルの個数を表す。
2019535181.tif 000013
は、１つのＲＢを構成する副搬送波の個数を表す。
【００３８】
ＯＦＤＭシンボルは、多元接続方式によって、ＯＦＤＭシンボル、ＳＣ−ＦＤＭ(Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ)シンボルなどと呼ぶことができる。１つのスロットに含まれるＯＦＤＭシンボルの数は、チャネル帯域幅、ＣＰ(ｃｙｃｌｉｃ  ｐｒｅｆｉｘ)長によって様々に変更可能である。例えば、正規(ｎｏｒｍａｌ)ＣＰの場合は、１つのスロットが７個のＯＦＤＭシンボルを含むが、拡張(ｅｘｔｅｎｄｅｄ)ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
2019535181.tif 000014
個の副搬送波を含む。副搬送波の類型は、データ送信のためのデータ副搬送波、参照信号(ｒｅｆｅｒｅｎｃｅ  ｓｉｇｎａｌ)の送信のための参照信号副搬送波、ガードバンド(ｇｕａｒｄ  ｂａｎｄ)及び直流(Ｄｉｒｅｃｔ  Ｃｕｒｒｅｎｔ，ＤＣ)成分のためのヌル(ｎｕｌｌ)副搬送波に分類することができる。ＤＣ成分のためのヌル副搬送波は、未使用のまま残される副搬送波であり、ＯＦＤＭ信号生成過程或いは周波数上り変換過程で搬送波周波数(ｃａｒｒｉｅｒ  ｆｒｅｑｕｅｎｃｙ，ｆ０)にマッピング(ｍａｐｐｉｎｇ)される。搬送波周波数は中心周波数(ｃｅｎｔｅｒ  ｆｒｅｑｕｅｎｃｙ)と呼ばれることもある。
【００３９】
１ ＲＢは、時間ドメインで
2019535181.tif 000015
個(例えば、７個)の連続するＯＦＤＭシンボルと定義され、周波数ドメインでｃ個(例えば、１２個)の連続する副搬送波によって定義される。参考として、１つのＯＦＤＭシンボルと１つの副搬送波で構成されたリソースをリソース要素(ｒｅｓｏｕｒｃｅ  ｅｌｅｍｅｎｔ，ＲＥ)或いはトーン(ｔｏｎｅ)という。したがって、１つのＲＢは、
2019535181.tif 000016
個のリソース要素で構成される。リソース格子における各リソース要素は、１つのスロットにおけるインデックス対(ｋ，１)によって固有に定義できる。ｋは、周波数ドメインで０から
2019535181.tif 000017
まで与えられるインデックスであり、ｌは、時間ドメインで０から
2019535181.tif 000018
まで与えられるインデックスである。
【００４０】
１サブフレームにおいて
2019535181.tif 000019
個の連続した同一副搬送波を占有しながら、当該サブフレームにおける２個のスロットのそれぞれに１個ずつ位置する２個のＲＢを物理リソースブロック(ｐｈｙｓｉｃａｌ  ｒｅｓｏｕｒｃｅ  ｂｌｏｃｋ，ＰＲＢ)対(ｐａｉｒ)という。ＰＲＢ対を構成する２個のＲＢは、同一のＰＲＢ番号(或いは、ＰＲＢインデックス(ｉｎｄｅｘ)ともいう)を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部(ｌｏｃａｌｉｚｅｄ)タイプのＶＲＢと分散(ｄｉｓｔｒｉｂｕｔｅｄ)タイプのＶＲＢとに区別される。局部タイプのＶＲＢはＰＲＢに直接マッピングされて、ＶＲＢ番号(ＶＲＢインデックスともいう)がＰＲＢ番号に直接対応する。すなわち、ｎＰＲＢ＝ｎＶＲＢとなる。局部タイプのＶＲＢには０から
2019535181.tif 000020
順に番号が与えられ、
2019535181.tif 000021
である。したがって、局部マッピング方式によれば、同一のＶＲＢ番号を有するＶＲＢが第１のスロットと第２のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、第１のスロットと第２のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４１】
図３は、３ＧＰＰ ＬＥＴ／ＬＥＴ−Ａシステムで用いられる下りリンク(ｄｏｗｎｌｉｎｋ，ＤＬ)サブフレーム構造を例示する図である。
【００４２】
図３を参照すると、ＤＬサブフレームは、時間ドメインで制御領域(ｃｏｎｔｒｏｌ  ｒｅｇｉｏｎ)とデータ領域(ｄａｔａ  ｒｅｇｉｏｎ)とに区別される。図３を参照すると、サブフレームの第１のスロットで先頭部における最大３(或いは４)個のＯＦＤＭシンボルは、制御チャネルが割り当てられる制御領域(ｃｏｎｔｒｏｌ  ｒｅｇｉｏｎ)に対応する。以下、ＤＬサブフレームでＰＤＣＣＨ送信に利用可能なリソース領域(ｒｅｓｏｕｒｃｅ  ｒｅｇｉｏｎ)をＰＤＣＣＨ領域と称する。制御領域に用いられるＯＦＤＭシンボル以外のＯＦＤＭシンボルは、ＰＤＳＣＨ(Ｐｈｙｓｉｃａｌ  Ｄｏｗｎｌｉｎｋ Ｓｈａｒｅｄ  ＣＨａｎｃｅｌ)が割り当てられるデータ領域(ｄａｔａ  ｒｅｇｉｏｎ)に該当する。以下、ＤＬサブフレームでＰＤＳＣＨ送信に利用可能なリソース領域をＰＤＳＣＨ領域と称する。３ＧＰＰ ＬＥＴで用いられるＤＬ制御チャネルの例としては、ＰＣＦＩＣＨ(Ｐｈｙｓｉｃａｌ  Ｃｏｎｔｒｏｌ  Ｆｏｒｍａｔ  Ｉｎｄｉｃａｔｏｒ  Ｃｈａｎｎｅｌ)、ＰＤＣＣＨ(Ｐｈｙｓｉｃａｌ  Ｄｏｗｎｌｉｎｋ  Ｃｏｎｔｒｏｌ  Ｃｈａｎｎｅｌ)、ＰＨＩＣＨ(Ｐｈｙｓｉｃａｌ  ｈｙｂｒｉｄ  ＡＲＱ  ｉｎｄｉｃａｔｏｒ  Ｃｈａｎｎｅｌ)などを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ(Ｈｙｂｒｉｄ  Ａｕｔｏｍａｔｉｃ  Ｒｅｐｅａｔ  Ｒｅｑｕｅｓｔ)ＡＣＫ／ＮＡＣＫ(ａｃｋｎｏｗｌｅｄｇｍｅｎｔ／ｎｅｇａｔｉｖｅ−ａｃｋｎｏｗｌｅｄｇｍｅｎｔ)信号を運ぶ。
【００４３】
ＰＤＣＣＨを介して送信される制御情報を上りリンク制御情報(ｄｏｗｎｌｉｎｋ  ｃｏｎｔｒｏｌ  ｉｎｆｏｒｍａｔｉｏｎ，ＤＣＩ)と呼ぶ。ＤＣＩは、ＵＥ又はＵＥグループのためのリソース割り当て情報及び他の制御情報を含む。例えば、ＤＣＩは、ＤＬ共有チャネル(ｄｏｗｎｌｉｎｋ  ｓｈａｒｅｄ  ｃｈａｎｎｅｌ，ＤＬ−ＳＣＨ)の送信フォーマット及びリソース割り当て情報、ＵＬ共有チャネル(ｕｐｌｉｎｋ  ｓｈａｒｅｄ  ｃｈａｎｎｅｌ，ＵＬ−ＳＣＨ)の送信フォーマット及びリソース割り当て情報、ページングチャネル(ｐａｇｉｎｇ  ｃｈａｎｎｅｌ，ＰＣＨ)上のページング情報、ＤＬ−ＳＣＨ上のシステム情報、ＰＤＳＣＨ上で送信されるランダムアクセス応答のような上位層(ｕｐｐｅｒ  ｌａｙｅｒ)制御メッセージのリソース割り当て情報、ＵＥグループ内の個別ＵＥへの送信電力制御命令(Ｔｒａｎｓｍｉｔ  Ｃｏｎｔｒｏｌ  Ｃｏｍｍａｎｄ  Ｓｅｔ)、送信電力制御(Ｔｒａｎｓｍｉｔ  Ｐｏｗｅｒ  Ｃｏｎｔｒｏｌ)命令、ＶｏＩＰ(Ｖｏｉｃｅ  ｏｖｅｒ  ＩＰ)の活性化(ａｃｔｉｖａｔｉｏｎ)指示情報、ＤＡＩ(Ｄｏｗｎｌｉｎｋ  Ａｓｓｉｇｎｍｅｎｔ  Ｉｎｄｅｘ)などを含む。ＤＬ共有チャネル(ｄｏｗｎｌｉｎｋ  ｓｈａｒｅｄ  ｃｈａｎｎｅｌ，ＤＬ−ＳＣＨ)の送信フォーマット(Ｔｒａｎｓｍｉｔ  Ｆｏｒｍａｔ)及びリソース割り当て情報は、ＤＬスケジューリング情報或いはＤＬグラント(ＤＬ  ｇｒａｎｔ)とも呼ばれ、ＵＬ共有チャネル(ｕｐｌｉｎｋ  ｓｈａｒｅｄ  ｃｈａｎｎｅｌ，ＵＬ−ＳＣＨ)の送信フォーマット及びリソース割り当て情報は、ＵＬスケジューリング情報或いはＵＬグラント(ＵＬ  ｇｒａｎｔ)とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て(ＲＢ  ａｌｌｏｃａｔｉｏｎ)、ＭＣＳ(ｍｏｄｕｌａｔｉｏｎ  ｃｏｄｉｎｇ ｓｃｈｅｍｅ)、ＲＶ(ｒｅｄｕｎｄａｎｃｙ  ｖｅｒｓｉｏｎ)、ＮＤＩ(ｎｅｗ  ｄａｔａ  ｉｎｄｉｃａｔｏｒ)、ＴＰＣ(ｔｒａｎｓｍｉｔ  ｐｏｗｅｒ  ｃｏｎｔｒｏｌ)、循環シフトＤＭＲＳ(ｃｙｃｌｉｃ  ｓｈｉｆｔ  ｄｅｍｏｄｕｌａｔｉｏｎ  ｒｅｆｅｒｅｎｃｅ  ｓｉｇｎａｌ)、ＵＬインデックス、ＣＱＩ(ｃｈａｎｎｅｌ  ｑｕａｌｉｔｙ  ｉｎｆｏｒｍａｔｉｏｎ)要請、ＤＬ割り当てインデックス(ＤＬ  ａｓｓｉｇｎｍｅｎｔ  ｉｎｄｅｘ)、ＨＡＲＱプロセスナンバー、ＴＰＭＩ(ｔｒａｎｓｍｉｔｔｅｄ  ｐｒｅｃｏｄｉｎｇ  ｍａｔｒｉｘ  ｉｎｄｉｃａｔｏｒ)、ＰＭＩ(ｐｒｅｃｏｄｉｎｇ  ｍａｔｒｉｘ  ｉｎｄｉｃａｔｏｒ)情報などの制御情報が適宜選択された組み合わせが下りリンク制御情報としてＵＥに送信される。
【００４４】
一般に、ＵＥに構成された送信モード(ｔｒａｎｓｍｉｓｓｉｏｎ  ｍｏｄｅ，ＴＭ)によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００４５】
ＰＤＣＣＨは、１つ又は複数の連続した制御チャネル要素(ｃｏｎｔｒｏｌ  ｃｈａｎｎｅｌ  ｅｌｅｍｅｎｔ，ＣＣＥ)の集成(ａｇｇｒｅｇａｔｉｏｎ)上で送信される。ＣＣＥは、ＰＤＣＣＨに無線チャネル状態に基づく符号化率(ｃｏｄｉｎｇ  ｒａｔｅ)を提供するために用いられる論理的割り当てユニット(ｕｎｉｔ)である。ＣＣＥは、複数のリソース要素グループ(ｒｅｓｏｕｒｃｅ  ｅｌｅｍｅｎｔ  ｇｒｏｕｐ，ＲＥＧ)に対応する。例えば、１ ＣＣＥは９個のＲＥＧに対応し、１ ＲＥＧは４個のＲＥに対応する。３ＧＰＰ ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間(Ｓｅａｒｃｈ  Ｓｐａｃｅ，ＳＳ)と呼ぶ。探索空間内でＰＤＣＣＨが送信されてもよい個別リソースをＰＤＣＣＨ候補(ｃａｎｄｉｄａｔｅ)と呼ぶ。ＵＥがモニタリング(ｍｏｎｉｔｏｒｉｎｇ)するＰＤＣＣＨ候補の集合を探索空間と定義する。３ＧＰＰ ＬＥＴ／ＬＥＴ−ＡシステムでそれぞれのＤＣＩフォーマットのための探索空間は異なるサイズを有してもよく、専用(ｄｅｄｉｃａｔｅｄ)探索空間と共通(ｃｏｍｍｏｎ)探索空間とが定義されている。専用探索空間は、ＵＥ−特定(ｓｐｅｃｉｆｉｃ)探索空間であり、それぞれの個別ＵＥのために構成(ｃｏｎｆｉｇｕｒａｔｉｏｎ)される。共通探索空間は、複数のＵＥのために構成される。次表は、探索空間を定義する集成レベル(ａｇｇｒｅｇａｔｉｏｎ  ｌｅｖｅｌ)を例示するものである。
【００４６】
【表３】
2019535181.tif 000022
【００４７】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ(ＤＣＩ)を送信し、ＵＥは、ＰＤＣＣＨ(ＤＣＩ)を探すために探索空間をモニタリングする。ここで、モニタリングとは、全てのモニタリングされるＤＣＩフォーマットによって当該探索空間内の各ＰＤＣＣＨの復号(ｄｅｃｏｄｉｎｇ)を試みる(ａｔｔｅｍｐｔ)ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、毎サブフレームごとに当該ＤＣＩフォーマットの全てのＰＤＣＣＨに対して、自身の識別子を有するＰＤＣＣＨを検出するまで復号を試みるが、このような過程をブラインド検出(ｂｌｉｎｄ  ｄｅｔｅｃｔｉｏｎ)(ブラインド復号(ｂｌｉｎｄ  ｄｅｃｏｄｉｎｇ，ＢＤ))という。
【００４８】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ(Ｐｈｙｓｉｃａｌ  Ｄｏｗｎｌｉｎｋ  Ｓｈａｒｅｄ  ＣＨａｎｎｅｌ)を割り当てることができる。ＰＣＨ(Ｐａｇｉｎｇ  ｃｈａｎｎｅｌ)及びＤＬ−ＳＣＨ(Ｄｏｗｎｌｉｎｋ−ｓｈａｒｅｄ  ｃｈａｎｎｅｌ)は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ(Ｒａｄｉｏ  Ｎｅｔｗｏｒｋ  Ｔｅｍｐｏｒａｒｙ  Ｉｄｅｎｔｉｔｙ)でＣＲＣ(ｃｙｃｌｉｃ  ｒｅｄｕｎｄａｎｃｙ  ｃｈｅｃｋ)マスキング(ｍａｓｋｉｎｇ)されており、「Ｂ」という無線リソース(例、周波数位置)及び「Ｃ」という送信形式情報(例、送信ブロックサイズ、変調方式、コーディング情報など)を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００４９】
ＵＥがｅＮＢから受信した信号を復調するには、データ信号と比較する参照信号(ｒｅｆｅｒｅｎｃｅ  ｓｉｇｎａｌ，ＲＳ)が必要である。参照信号とは、ｅＮＢがＵＥに或いはＵＥがｅＮＢに送信する、ｅＮＢとＵＥが互いに知っている、予め定義された特別な波形の信号を意味し、パイロット(ｐｉｌｏｔ)とも呼ばれる。参照信号は、セル内の全ＵＥに共用されるセル−特定(ｃｅｌｌ−ｓｐｅｃｉｆｉｃ)ＲＳと特定ＵＥに専用される復調(ｄｅｍｏｄｕｌａｔｉｏｎ)ＲＳ(ＤＭ ＲＳ)とに区別される。ｅＮＢが特定ＵＥのための下りリンクデータの復調のために送信するＤＭ ＲＳをＵＥ−特定的(ＵＥ−ｓｐｅｃｉｆｉｃ)ＲＳと特別に称することもできる。下りリンクでＤＭ ＲＳとＣＲＳは共に送信されてもよいが、いずれか一方のみが送信されてもよい。ただし、下りリンクでＣＲＳ無しにＤＭ ＲＳのみが送信される場合、データと同じプリコーダを適用して送信されるＤＭ ＲＳは復調の目的にのみ用いることができるため、チャネル測定用ＲＳを別途に提供しなければならない。例えば、３ＧＰＰ ＬＥＴ(−Ａ)では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、毎サブフレームごとに送信されるＣＲＳとは違い、複数のサブフレームで構成される所定の送信周期ごとに送信される。
【００５０】
図４は、３ＧＰＰ ＬＥＴ／ＬＥＴ−Ａシステムで用いられる上りリンク(ｕｐｌｉｎｋ，ＵＬ)サブフレーム構造の一例を示す図である。
【００５１】
図４を参照すると、ＵＬサブフレームは、周波数ドメインで制御領域とデータ領域とに区別できる。１つ又は複数のＰＵＣＣＨ(ｐｈｙｓｉｃａｌ ｕｐｌｉｎｋ ｃｏｎｔｒｏｌ ｃｈａｎｎｅｌｓ)を上りリンク制御情報(ｕｐｌｉｎｋ ｃｏｎｔｒｏｌ ｉｎｆｏｒｍａｔｉｏｎ，ＵＣＩ)を運ぶために制御領域に割り当てることができる。１つ又は複数のＰＵＳＣＨ(ｐｈｙｓｉｃａｌ ｕｐｌｉｎｋ ｓｈａｒｅｄ ｃｈａｎｎｅｌｓ)がユーザデータを運ぶためにＵＬサブフレームのデータ領域に割り当てられてもよい。
【００５２】
ＵＬサブフレームではＤＣ(Ｄｉｒｅｃｔ  Ｃｕｒｒｅｎｔ)副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５３】
ＰＵＣＣＨは、次の制御情報を送信するために用いることができる。
【００５４】
−  ＳＲ(Ｓｃｈｅｄｕｌｉｎｇ  Ｒｅｑｕｅｓｔ)：上りリンクＵＬ−ＳＣＨリソースを要請するために用いられる情報である。ＯＯＫ(Ｏｎ−Ｏｆｆ  Ｋｅｙｉｎｇ)方式を用いて送信される。
【００５５】
−  ＨＡＲＱ−ＡＣＫ：ＰＤＣＣＨに対する応答及び／又はＰＤＳＣＨ上の下りリンクデータパケット(例、コードワード)に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ(簡単に、ＡＣＫ)、ネガティブＡＣＫ(以下、ＮＡＣＫ)、ＤＴＸ(Ｄｉｓｃｏｎｔｉｎｕｏｕｓ  Ｔｒａｎｓｍｉｓｓｉｏｎ)又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００５６】
−ＣＳＩ(Ｃｈａｎｎｅｌ  Ｓｔａｔｅ  Ｉｎｆｏｒｍａｔｉｏｎ)：下りリンクチャネルに対するフィードバック情報(ｆｅｅｄｂａｃｋ  ｉｎｆｏｒｍａｔｉｏｎ)である。ＭＩＭＯ(Ｍｕｌｔｉｐｌｅ  Ｉｎｐｕｔ  Ｍｕｌｔｉｐｌｅ  Ｏｕｔｐｕｔ)−関連フィードバック情報は、ＲＩ(Ｒａｎｋ  Ｉｎｄｉｃａｔｏｒ)及びＰＭＩ(Ｐｒｅｃｏｄｉｎｇ  Ｍａｔｒｉｘ  Ｉｎｄｉｃａｔｏｒ)を含む。
【００５７】
ＵＥがサブフレームで送信可能な上りリンク制御情報(ＵＣＩ)の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ(Ｓｏｕｎｄｉｎｇ  Ｒｅｆｅｒｅｎｃｅ  Ｓｉｇｎａｌ)が構成されているサブフレームでは、サブフレームの最後のＳＣ−ＦＤＭＡシンボルも除く。参照信号は、ＰＵＣＣＨのコヒーレント(ｃｏｈｅｒｅｎｔ)検出に用いられる。ＰＵＣＣＨは、送信される情報によって様々なフォーマットを支援する。
【００５８】
以下の表４に、ＬＥＴ／ＬＥＴ−ＡシステムでＰＵＣＣＨフォーマットとＵＣＩとのマッピング関係を示す。
【００５９】
【表４】
2019535181.tif 000023
【００６０】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報(ｃｈａｎｎｅｌ  ｓｔａｔｅ  ｉｎｆｏｒｍａｔｉｏｎ，ＣＳＩ)を運ぶために用いられ、ＰＵＣＣＨフォーマット３系列はＡＣＫ／ＮＡＣＫ情報を送信するために用いられる。
【００６１】
参照信号(Ｒｅｆｅｒｅｎｃｅ  Ｓｉｇｎａｌ；ＲＳ)
【００６２】
無線通信システムにおいてパケットを送信する時、パケットは無線チャネルを通じて送信されるため、送信過程で信号の歪みが発生することがある。歪んだ信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号(Ｐｉｌｏｔ  Ｓｉｇｎａｌ)又は参照信号(Ｒｅｆｅｒｅｎｃｅ  Ｓｉｇｎａｌ)という。
【００６３】
多重アンテナを用いてデータを送受信する場合には、各送信アンテナと受信アンテナ間のチャネル状況を知ってこそ正しい信号を受信することができる。したがって、各送信アンテナ別に、より詳しくはアンテナポート(ａｎｔｅｎｎａ  ｐｏｒｔ)別に異なった参照信号が存在しなければならない。
【００６４】
参照信号は上りリンク参照信号と下りリンク参照信号とに区別できる。現在、ＬＥＴシステムには、上りリンク参照信号として、
【００６５】
i)ＰＵＳＣＨ及びＰＵＣＣＨを通じて送信された情報のコヒーレント(ｃｏｈｅｒｅｎｔ)な復調のためのチャネル推定のための復調参照信号(ＤｅＭｏｄｕｌａｔｉｏｎ−Ｒｅｆｅｒｅｎｃｅ  Ｓｉｇｎａｌ，ＤＭ−ＲＳ)
【００６６】
ii)基地局が、ネットワークの異なる周波数における上りリンクチャネル品質を測定するためのサウンディング参照信号(Ｓｏｕｎｄｉｎｇ  Ｒｅｆｅｒｅｎｃｅ  Ｓｉｇｎａｌ，ＳＲＳ)がある。
【００６７】
一方、下りリンク参照信号としては、
【００６８】
i)セル内の全ての端末が共有するセル−特定参照信号(Ｃｅｌｌ−ｓｐｅｃｉｆｉｃ  Ｒｅｆｅｒｅｎｃｅ  Ｓｉｇｎａｌ，ＣＲＳ)
【００６９】
ii)特定端末だけのための端末−特定参照信号(ＵＥ−ｓｐｅｃｉｆｉｃ  Ｒｅｆｅｒｅｎｃｅ  Ｓｉｇｎａｌ)
【００７０】
iii)ＰＤＳＣＨが送信される場合に、コヒーレントな復調のために送信される(ＤｅＭｏｄｕｌａｔｉｏｎ−Ｒｅｆｅｒｅｎｃｅ  Ｓｉｇｎａｌ，ＤＭ−ＲＳ)
【００７１】
iv)下りリンクＤＭＲＳが送信される場合に、チャネル状態情報(Ｃｈａｎｎｅｌ  Ｓｔａｔｅ  Ｉｎｆｏｒｍａｔｉｏｎ；ＣＳＩ)を伝達するためのチャネル状態情報参照信号(Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ)
【００７２】
v)ＭＢＳＦＮ(Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ)モードで送信される信号に対するコヒーレントな復調のために送信されるＭＢＳＦＮ参照信号(ＭＢＳＦＮ  Ｒｅｆｅｒｅｎｃｅ  Ｓｉｇｎａｌ)
【００７３】
vi)端末の地理的位置情報を推定するために用いられる位置参照信号(Ｐｏｓｉｔｉｏｎｉｎｇ  Ｒｅｆｅｒｅｎｃｅ  Ｓｉｇｎａｌ)がある。
【００７４】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースで共に送る参照信号であって、端末は当該参照信号を受信することによってチャネル測定をしてデータを復調することが可能になる。この参照信号は、データの送信される領域で送信されなければならない。
【００７５】
ＣＳＩ報告
【００７６】
３ＧＰＰ ＬＴＥ(−Ａ)システムでは、ユーザ機器(ＵＥ)がチャネル状態情報(ＣＳＩ)を基地局(ＢＳ)に報告するように定義されており、チャネル状態情報(ＣＳＩ)とは、ＵＥとアンテナポートとの間に形成される無線チャネル(又は、リンクともいう)の品質を示すことのできる情報を総称する。例えば、ランク指示子(ｒａｎｋ ｉｎｄｉｃａｔｏｒ，ＲＩ)、プリコーディング行列指示子(ｐｒｅｃｏｄｉｎｇ ｍａｔｒｉｘ ｉｎｄｉｃａｔｏｒ，ＰＭＩ)、チャネル品質指示子(ｃｈａｎｎｅｌ ｑｕａｌｉｔｙ ｉｎｄｉｃａｔｏｒ，ＣＱＩ)などがある。ここで、ＲＩは、チャネルのランク(ｒａｎｋ)情報を示し、これは、ＵＥが同一の時間−周波数リソースを通じて受信するストリームの数を意味する。この値は、チャネルの長期フェーディング(ｆａｄｉｎｇ)によって従属されて決定されるため、通常、ＰＭＩ、ＣＱＩよりも長い周期を有してＵＥからＢＳにフィードバックされる。ＰＭＩは、チャネル空間特性を反映した値であって、ＳＩＮＲなどのメートル(ｍｅｔｒｉｃ)に基づいて、ＵＥが選好するプリコーディングインデックスを示す。ＣＱＩは、チャネルの強さを示す値であって、通常、ＢＳがＰＭＩを用いるときに得られる受信ＳＩＮＲを意味する。
【００７７】
上述した無線チャネルの測定に基づいて、ＵＥは、現在のチャネル状態下において前記ＢＳによって使用される場合、最適又は最高の送信レートが導出できる選好されるＰＭＩ及びＲＩを算出して、算出されたＰＭＩ及びＲＩをＢＳにフィードバックする。ここで、ＣＱＩは、フィードバックされたＰＭＩ／ＲＩに対する受容可能なパケットエラー率(ｐａｃｋｅｔ ｅｒｒｏｒ ｐｒｏｂａｂｉｌｉｔｙ)を提供する変調及びコーディング方式(ｍｏｄｕｌａｔｉｏｎ ａｎｄ ｃｏｄｉｎｇ ｓｃｈｅｍｅ)を称する。 
【００７８】
ＣＳＩ−ＩＭ（Ｃｈａｎｎｅｌ  Ｓｔａｔｅ  Ｉｎｆｏｒｍａｔｉｏｎ−Ｉｎｔｅｒｅｒｅｎｃｅ  Ｍｅａｓｕｒｅｍｅｎｔ）の概要
【００７９】
［ＣＳＩ−ＲＳリソース］
【００８０】
送信モード１乃至９において設定されたサービングセル及びＵＥに対して、ＵＥは１つのＣＳＩ−ＲＳリソース構成を設定されることができる。送信モード１０において設定されたサービングセル及びＵＥに対して、ＵＥは１つ以上のＣＳＩ−ＲＳリソース構成を設定されることができる。ＵＥがＣＳＩ−ＲＳに対するノン−ゼロ送信電力を仮定すべき以下のパラメータは、それぞれのＣＳＩ−ＲＳリソース構成に対して上位層シグナリングを介して設定される。
【００８１】
● ＣＳＩ−ＲＳリソース構成識別子、
【００８２】
● ＣＳＩ−ＲＳポート数、
【００８３】
● ＣＳＩ−ＲＳサブフレーム設定ＩＣＳＩ−ＲＳ、
【００８４】
● それぞれのＣＳＩプロセスに対して、ＣＳＩフィードバックのための参照ＰＤＳＣＨが送信された電力ＰＣに対するＵＥの仮定。仮に、ＣＳＩサブフレーム集合ＣＣＳＩ,０及びＣＣＳＩ,１がＣＳＩプロセスに対する上位層によって設定される場合、ＰＣはＣＳＩプロセスのそれぞれのＣＳＩサブフレーム集合に対して設定される。
【００８５】
● 擬似−ランダムシーケンス生成パラメータ、ｎＩＤ
【００８６】
● 以下のパラメータを用いたＣＲＳアンテナポート及びＣＳＩ−ＲＳアンテナポートのＱＣＬ（ｑｕａｓｉ  ｃｏ−ｌｏｃａｔｉｏｎ）タイプＢのＵＥの仮定
【００８７】
● ＱＣＬ仮定されたＣＲＳに対するセルＩＤ
【００８８】
● ＱＣＬ仮定されたＣＲＳに対するＣＲＳアンテナポート数
【００８９】
● ＱＣＬ仮定されたＣＲＳに対するＭＢＳＦＮサブフレーム構成
【００９０】
［ゼロ−パワーＣＳＩ−ＲＳリソース］
【００９１】
送信モード１乃至９において設定されたサービングセル及びＵＥに対して、ＵＥに前記サービングセルに対してｃｓｉ−ＳｕｂｆｒａｍｅＰａｔｔｅｒｎＣｏｎｆｉｇ−ｒ１２が設定されない場合、前記ＵＥには１つのゼロ−パワーＣＳＩ−ＲＳリソース構成が設定されることができる。ここで、ｃｓｉ−ＳｕｂｆｒａｍｅＰａｔｔｅｒｎＣｏｎｆｉｇ−ｒ１２は、ＣＳＩ測定のためのサブフレームサブセットに関する設定である。
【００９２】
また、送信モード１乃至９において設定されたサービングセル及びＵＥに対して、ＵＥに前記サービングセルに対してｃｓｉ−ＳｕｂｆｒａｍｅＰａｔｔｅｒｎＣｏｎｆｉｇ−ｒ１２が設定された場合、前記ＵＥには２つまでのゼロ−パワーＣＳＩ−ＲＳリソース構成が設定されることができる。
【００９３】
送信モード１０において設定されたサービングセル及びＵＥに対して、ＵＥには１つ以上のゼロ−パワーＣＳＩ−ＲＳリソース構成が設定されることができる。以下のパラメータが１つ以上のゼロ−パワーＣＳＩ−ＲＳリソース構成に対して、上位層シグナリングを介して設定される：
【００９４】
● ゼロ−パワーＣＳＩ−ＲＳ構成リスト（１６−ビットのビットマップ）
【００９５】
● ゼロ−パワーＣＳＩ−ＲＳサブフレーム構成ＩＣＳＩ−ＲＳ
【００９６】
［ＣＳＩ−ＩＭ（ｉｎｔｅｒｆｅｒｅｎｃｅ  ｍｅａｓｕｒｅｍｅｎｔ）］
【００９７】
ＣＳＩ−ＩＭは、ゼロ−パワーＣＳＩ−ＲＳで設定されたリソースのうち一部のリソースを使用して、ＵＥに前記ゼロ−パワーＣＳＩ−ＲＳリソースの一部に該当するＣＳＩ−ＩＭリソースの位置を知らせて、前記ＵＥが当該リソース位置で干渉を測定するようにする。
【００９８】
送信モード（ｔｒａｍｓｉｓｓｉｏｎ）１０において、ＵＥには上位層によってサービングセルごとに１つ以上のＣＳＩプロセスが設定（ｃｏｎｆｉｇｕｒｅ）されることができる。それぞれのＣＳＩプロセスは、ＣＳＩ−ＲＳリソース及びＣＳＩ−ＩＭリソースに関連する。前記ＵＥによって報告されたＣＳＩは、上位層によって設定されたＣＳＩプロセスに該当して、それぞれのＣＳＩプロセスは、上位層シグナリングによってＰＭＩ／ＲＩと共に、又はＰＭＩ／ＲＩ無しで設定されることができる。
【００９９】
以下のパラメータがそれぞれのＣＳＩ−ＩＭリソース構成に対して上位層シグナリングによって設定される。
【０１００】
● ゼロ−パワーＣＳＩ−ＲＳ構成
【０１０１】
● ゼロ−パワーＣＳＩ−ＲＳサブフレーム構成ＩＣＳＩ−ＲＳ
【０１０２】
ＵＥは、前記ＵＥに対して設定可能な１つのゼロ−パワーＣＳＩ−ＲＳリソース構成と全て重ならないＣＳＩ−ＩＭリソース構成を受信しない。また、ＵＥは、ゼロ−パワーＣＳＩ−ＲＳリソース構成のうち１つと全て重ならないＣＳＩ−ＩＭリソース構成を受信しない。
【０１０３】
本発明では、ＦＤ（ｆｕｌｌ  ｄｉｍｅｎｓｉｏｎ）−ＭＩＭＯ環境及び新ＲＡＴ（Ｎｅｗ  ＲＡＴ；ＮＲ）のように、複数のアンテナを有する基地局／端末間にＭＩＭＯ／多重ユーザ動作のための干渉測定を効率的に行うために、１つのＣＳＩプロセスに互いに異なる複数の干渉測定リソース（ｉｎｔｅｒｆｅｒｅｎｃｅ  ｍｅａｓｕｒｅｍｅｎｔ  ｒｅｓｏｕｒｃｅ；ＩＭＲ）を設定して使用するとき、その設定方法及び当該ＩＭＲをオン−デマンド（ｏｎ−ｄｅｍａｎｄ）方式で用いるときのシグナリング及びその動作、また当該ＩＭＲを用いて測定した干渉を考慮して、ＣＳＩを算出及び報告するときの報告シグナリング及びその動作を提案する。
【０１０４】
ｅＦＤ−ＭＩＭＯ（ｅｎｈａｎｃｅｄ  ＦＤ−ＭＩＭＯ）では、既存のＬＴＥ−Ａまでの最大８ポートの送信アンテナポートの代わりに、最大６４ポートまでの送信アンテナポートを検討している。これは、ＮＲ−ＭＩＭＯ（ｎｅｗ  ｒａｔ−ＭＩＭＯ）への進行中に維持又は増加することが予想される。この場合、ＣＳＩを測定するためのＣＳＩ−ＲＳのために割り当てられたＲＥが増加して、オーバーヘッドが増加するため、このオーバーヘッドを減少させる方法が必要である。このために、ＣＳＩ−ＲＳを周期的に送信する代わりに、必要な時点にのみ送信して、端末にＣＳＩを算出させる非周期的ＣＳＩ−ＲＳが考慮されている。よって、この非周期的ＣＳＩ−ＲＳに用いる非周期的ＩＭＲが必要である。
【０１０５】
同時に、ＮＲでは、さらに増えるＵＥを支援するために、ＭＵ−ＭＩＭＯの性能をより重要としている。よって、ＭＵのために各ＵＥが互いに与える干渉の影響を測定することが重要となり、特に、互いに異なるアナログビームを用いる端末間の干渉を測定しなければならないという新たな干渉測定の必要が生じた。このような様々な干渉を測定するために、既存のＬＴＥに比べてより多いＩＭＲを設定する必要が増えている。
【０１０６】
しかし、ＮＲでは、常に存在する（ａｌｗａｙｓ−ｏｎ）シグナリングを出来る限り減らそうとしている。また、ＣＳＩ−ＩＭのオーバーヘッドを減らすために、既存の周期的なＩＭＲの代わりに、オン−デマンド（ｏｎ−ｄｅｍａｎｄ）方式（すなわち、基地局が実際に干渉を測定しようとするときにのみＩＭＲを測定）で非周期的ＩＭＲを用いることが望ましい。
【０１０７】
よって、本明細書では、非周期的ＣＳＩ−ＩＭのために、複数のＣＳＩ−ＩＭを設定する方式及び当該ＣＳＩ−ＩＭを用いるためのシグナリング及びその動作、また当該ＣＳＩ−ＩＭから測定した干渉を考慮して、ＣＳＩを算出及び報告するときのシグナリング及びその動作を提案する。
【０１０８】
本明細書で記述する基地局の名称は、セル、基地局、ｅＮＢ、セクター、送信ポイント（ｔｒａｎｓｍｉｓｓｉｏｎ  ｐｏｉｎｔ；ＴＰ）、受信ポイント（ｒｅｃｅｐｔｉｏｎ  ｐｏｉｎｔ；ＲＰ）、ＲＲＨ（ｒｅｍｏｔｅ  ｒａｄｉｏ  ｈｅａｄ）、リレー（ｒｅｌａｙ）などの送受信ポイントに適用され、また特定の送受信ポイントで要素搬送波（ｃｏｍｐｏｎｅｎｔ  ｃａｒｒｉｅｒ；ＣＣ）を区分するための包括的な用語として用いられる。特に、本明細書では、便宜のために、基地局の明細書として、端末にＤＬ／ＵＬ送信を行う地点をＴＲＰ（ｔｒａｎｓｍｉｓｓｉｏｎ  ａｎｄ  ｒｅｃｅｐｔｉｏｎ  ｐｏｉｎｔ）と称する。このＴＲＰは、特定の物理的セル（ｐｈｙｓｉｃａｌ  ｃｅｌｌ）又は複数の物理的セルグループ又は特定のアナログビーム又は特定のビームグループに対応できる。また、以下では、アンテナポートは（少なくとも同一のリソースブロック内で）同一のチャネルの特性（例えば、遅延プロファイル、ドプラ拡散など）が仮定できる仮想のアンテナ要素（ｅｌｅｍｅｎｔ）を意味する。以下では、サブフレーム（ｓｕｂｆｒａｍｅ；ＳＦ）は、一定の時間長さを有して繰り返される送信単位を意味して、ニューマロロジー（ｎｕｍｅｒｏｌｏｇｙ）別にＳＦの定義は異なってもよい。
【０１０９】
本明細書では、便宜のために、ＣＳＩ−ＲＳ、ＣＳＩ−ＩＭと表記するが、これは、それぞれ、ＮＲ−ＭＩＭＯで用いられるＣＳＩ測定のためのＲＳ、干渉測定のためのＲＳを称することができる。
【０１１０】
以下、説明の便宜のために、３ＧＰＰ  ＬＴＥシステムを中心として提案方式を説明する。しかし、提案方式が適用されるシステムの範囲は、３ＧＰＰ  ＬＴＥシステムの他のシステム（例えば、ＮＲ、ＵＴＲＡなど）にも拡張することができる。
【０１１１】
また、上述のように、ＣＳＩ−ＩＭ設定は、干渉測定のためのリソースに関する情報を含むため、以下でいう「ＣＳＩ−ＩＭ」は、当該リソース及び／又はそのリソースに関わる全ての情報を称することは、当業者にとって自明であろう。
【０１１２】
現在、ＬＴＥの３６．３３１で定義するＣＳＩ−ＩＭの設定（ｃｏｎｆｉｇｕｒａｔｉｏｎ）は、以下のようである。
【０１１３】
ＣＳＩ−ＩＭ−Ｃｏｎｆｉｇ  ｉｎｆｏｒｍａｔｉｏｎ  ｅｌｅｍｅｎｔｓ
【０１１４】
−−  ＡＳＮ１ＳＴＡＲＴ
【０１１５】
ＣＳＩ−ＩＭ−Ｃｏｎｆｉｇ−ｒ１１  ::＝      ＳＥＱＵＥＮＣＥ｛
【０１１６】
ｃｓｉ−ＩＭ−ＣｏｎｆｉｇＩｄ−ｒ１１  ＣＳＩ−ＩＭ−ＣｏｎｆｉｇＩｄ−ｒ１１，
【０１１７】
ｒｅｓｏｕｒｃｅＣｏｎｆｉｇ−ｒ１１  ＩＮＴＥＧＥＲ（０..３１），
【０１１８】
ｓｕｂｆｒａｍｅＣｏｎｆｉｇ−ｒ１１  ＩＮＴＥＧＥＲ（０..１５４），
【０１１９】
...，
【０１２０】
［［ｉｎｔｅｒｆｅｒｅｎｃｅＭｅａｓＲｅｓｔｒｉｃｔｉｏｎ−ｒ１３  ＢＯＯＬＥＡＮＯＰＴＩＯＮＡＬ−−  Ｎｅｅｄ  ＯＮ
【０１２１】
］］
【０１２２】
｝
【０１２３】
ＣＳＩ−ＩＭ−ＣｏｎｆｉｇＥｘｔ−ｒ１２  ::＝  ＳＥＱＵＥＮＣＥ｛
【０１２４】
ｃｓｉ−ＩＭ−ＣｏｎｆｉｇＩｄ−ｖ１２５０  ＣＳＩ−ＩＭ−ＣｏｎｆｉｇＩｄ−ｖ１２５０，
【０１２５】
ｒｅｓｏｕｒｃｅＣｏｎｆｉｇ−ｒ１２  ＩＮＴＥＧＥＲ（０..３１），
【０１２６】
ｓｕｂｆｒａｍｅＣｏｎｆｉｇ−ｒ１２  ＩＮＴＥＧＥＲ（０..１５４），
【０１２７】
...，
【０１２８】
［［ｉｎｔｅｒｆｅｒｅｎｃｅＭｅａｓＲｅｓｔｒｉｃｔｉｏｎ−ｒ１３  ＢＯＯＬＥＡＮＯＰＴＩＯＮＡＬ，−−  Ｎｅｅｄ  ＯＮ
【０１２９】
ｃｓｉ−ＩＭ−ＣｏｎｆｉｇＩｄ−ｖ１３１０  ＣＳＩ−ＩＭ−ＣｏｎｆｉｇＩｄ−ｖ１３１０  ＯＰＴＩＯＮＡＬ−−  Ｎｅｅｄ  ＯＮ
【０１３０】
］］
【０１３１】
｝
【０１３２】
−−  ＡＳＮ１ＳＴＯＰ
【０１３３】
すなわち、ｃｓｉ−ＩＭ−Ｃｏｎｆｉｇにはｃｓｉ−ＩＭ−ＣｏｎｆｉｇＩｄと、ＲＢ内のＩＭＲ（ｉｎｔｅｒｆｅｒｅｎｃｅ  ｍｅａｓｕｒｅｍｅｎｔ  ｒｅｓｏｕｒｃｅ）のＲＥパターンを示すｒｅｓｏｕｒｃｅＣｏｎｆｉｇ、送信周期及びオフセットを示すｓｕｂｆｒａｍｅＣｏｎｆｉｇとからなる。特に、ＲＥパターンは、４ポートのＣＳＩ−ＲＳパターンのうち１つを選択する。ＣＳＩプロセスにおいて１つのｃｓｉ−ＩＭ−ＣｏｎｆｉｇＩｄが定義されて、ＣＳＩプロセスにおいて１つのＣＳＩ−ＩＭを含むことになる。
【０１３４】
非周期的ＣＳＩ−ＩＭは、ワン−ショット（ｏｎｅ−ｓｈｏｔ）ＣＳＩ−ＩＭと半−持続的（ｓｅｍｉ−ｐｅｒｓｉｓｔｅｎｃｅ）ＣＳＩ−ＩＭとに区分できる。ワン−ショットＣＳＩ−ＩＭは、端末に送信されるＣＳＩ−ＩＭ測定指示によって１回（例えば、１つのサブフレーム）のＣＳＩ−ＩＭ測定を指示する方式であり、半−持続的ＣＳＩ−ＩＭは、イネーブル／ディセーブル（ｅｎａｂｌｅ／ｄｉｓａｂｌｅ）のような方式のＬ１／Ｌ２シグナリングによって、一定の時間区間にＣＳＩ−ＩＭの測定が周期的に端末に指示される形態の非周期的ＣＳＩ−ＩＭである。当該半−持続的ＣＳＩ−ＩＭの設定は、上述したｃｓｉ−ＩＭ−Ｃｏｎｆｉｇと類似してもよい。ただし、この場合、送信周期のみを設定して、オフセットは設定されないという特徴を有することができる。仮に、１つのリソースをワン−ショットＣＳＩ−ＩＭと半−持続的ＣＳＩ−ＩＭとの両方で共用して用いるためには、ＣＳＩ−ＩＭごとに送信周期が設定されるか、又は全体のＣＳＩ−ＩＭで用いる周期が設定される必要がある。
【０１３５】
非周期的ＣＳＩ−ＩＭ、特にワン−ショットＣＳＩ−ＩＭの設定は、送信周期及びオフセットが定義されず、互いに異なる非周期的ＣＳＩ−ＩＭ（ワン−ショットＣＳＩ−ＩＭ）の場合、測定結果を互いに平均しないこと（すなわち、測定制限（ｍｅａｓｕｒｅｍｅｎｔ  ｒｅｓｔｒｉｃｔｉｏｎ；ＭＲ）オン（ｏｎ）、ＭＲ  ｏｎであるとき、干渉測定結果をサブフレーム又はスロットに対して平均せず、ＭＲ  ｏｆｆであるとき、干渉測定結果をサブフレーム又はスロットに対して平均する）を特徴とする。例えば、ＦＤ−ＭＩＭＯの場合、上述したパラメータのうち、ｓｕｂｆｒａｍｅＣｏｎｆｉｇが設定されず、基地局は後述するシグナリングを介してＣＳＩ−ＩＭを測定するのか、測定するのであれば、いずれのＣＳＩ−ＩＭを測定するのかを端末に知らせる。ＮＲ−ＭＩＭＯにおいても、これと同様な方式で、非周期的ＣＳＩ−ＩＭ（ワン−ショットＣＳＩ−ＩＭ）設定には、送信周期及びオフセットに対する設定が与えられない可能性がある。
【０１３６】
本明細書は、既存のＣＳＩ−ＩＭに加えて、ＩＣＳＩ−ＲＳ（ｉｎｔｅｒｆｅｒｅｎｃｅ  ＣＳＩ−ＲＳ）について説明する。既存のＣＳＩ−ＩＭは、ＬＴＥのゼロ−パワー（ｚｅｒｏ−ｐｏｗｅｒ；ＺＰ）ＣＳＩ−ＲＳベースのＩＭＲのように、干渉の電力を測定して報告（例えば、干渉に基づいたＣＱＩ又は干渉を直接報告）する方式を用いるＩＭＲであり、ＩＣＳＩ−ＲＳは、非−ＺＰ  ＣＳＩ−ＲＳのように、当該リソースに指定されたシーケンスを用いた干渉チャネルを測定して、これに関する干渉報告（例えば、干渉チャネルの固有ベクトル（ｅｉｇｅｎｖｅｃｔｏｒ）を報告）を行う方式を用いるＩＭＲである。すなわち、ＩＣＳＩ−ＲＳは、ＣＳＩ−ＩＭにシーケンス初期化因子などのシーケンスに関する設定を含むことができる。より具体的には、既存のＬＴＥで用いるＺＰ  ＣＳＩ−ＲＳベースのＩＭＲはＣＳＩ−ＩＭ方式に該当して、後述するＮＺＰ  ＣＳＩ−ＲＳベースのＩＭＲを用いる場合、２つの方式（ＣＳＩ−ＩＭ及びＩＣＳＩ−ＲＳ）の両方に対して用いることができる。
【０１３７】
以下、別に記載がない限り、非周期的ＣＳＩ−ＩＭはワン−ショットＣＳＩ−ＩＭと半−持続的ＣＳＩ−ＩＭの両方を指定して、またＣＳＩ−ＩＭは干渉電力測定のためのＣＳＩ−ＩＭと干渉チャネル測定のためのＩＣＳＩ−ＲＳ（ｉｎｔｅｒｆｅｒｅｎｃｅ  ＣＳＩ−ＲＳ）の両方を称する。実際に、非−ゼロ−パワーＲＳのシーケンスを検出するために、別の情報を必要としない場合（例えば、全てのセルＩＤが共通した初期化因子を有する場合）、設定の観点からは、２つのリソースの区分がない設定を用いることができる。
【０１３８】
３．１  Ｌ３シグナリングを用いた複数の非周期的ＣＳＩ−ＩＭの設定
【０１３９】
本明細書では、複数の干渉測定リソースをＣＳＩの算出／報告に用いるシナリオを考慮する。複数の干渉仮定に対するＣＳＩを測定及び報告するために、基地局は、複数の干渉測定リソースを設定する必要がある。これは、特に、ＭＵ−ＭＩＭＯ状況で複数のコ−スケジュール（ｃｏ−ｓｃｈｅｄｕｌｅｄ）ＵＥへの干渉を測定したり、アナログ／デジタルビームを複数用いる送信方法を支援するために、各ビーム間の干渉を測定するために、既存よりも多様な干渉を測定するためである。  
【０１４０】
Ａｌｔ  １．複数の非周期的ＣＳＩ−ＩＭの設定
【０１４１】
基地局は端末に１つのＣＳＩプロセスに複数の非周期的ＣＳＩ−ＩＭを設定することができる。例えば、ＦＤ−ＭＩＭＯでＭ個（Ｍ＞＝１）のｃｓｉ−ＩＭ−ＣｏｎｆｉｇＩＤが１つのＣＳＩプロセスに設定され、それによるＭ個の非周期的ＣＳＩ−ＩＭが設定されてもよい。又は、ＲＲＣシグナリングの簡略化のために、１つのＣＳＩプロセスに１つのｃｓｉ−ＩＭ−ＣｏｎｆｉｇＩＤが設定されるが、当該ＩＤに対するｃｓｉ−ＩＭ−ＣｏｎｆｉｇにはＭ個の設定、例えば、ＲＥパターンが設定されてもよい。また、この場合、各々のＣＳＩ−ＩＭ設定がワン−ショットＣＳＩ−ＲＳ又は周期的或いは半−持続的ＣＳＩ−ＩＭで設定されてもよい。換言すれば、各々のＣＳＩ−ＩＭ設定にｓｕｂｆｒａｍｅＣｏｎｆｉｇのような方法で周期とオフセットが設定されるか（周期的）、周期のみが設定されるか（半−持続的）、周期及びオフセットが両方設定されなくてもよい（ワン−ショット）。
【０１４２】
ＮＲ−ＭＩＭＯにおいてもＲＲＣシグナリングのような上位層シグナリングで非周期的ＣＳＩ−ＩＭを設定する場合、上述と同様に、１つのＣＳＩプロセス（又は、それと同等な設定）に互いに区分されるＭ個の非周期的ＣＳＩ−ＩＭの設定が設定されてもよく、これはそれぞれ独立したＲＥパターン又は／及び周期が設定されることで区分できる。
【０１４３】
各々の非周期的ＣＳＩ−ＩＭ設定にａｎｔｅｎｎａＰｏｒｔｓＣｏｕｎｔのようにアンテナポートに対する設定が用いられてもよい。これによって、より正確なリソースを設定することができる。これは、ＣＳＩ−ＲＳに設定されたアンテナポート番号のような値を用いるものに取り替えられることができる。
【０１４４】
Ａｌｔ  ２．非周期的ＣＳＩ−ＩＭリソースのビットマップ指示（Ｂｉｔｍａｐ  ｉｎｄｉｃａｔｉｏｎ  ｏｆ  ａｐｅｒｉｏｄｉｃ  ＣＳＩ−ＩＭ  ｒｅｓｏｕｒｃｅ）
【０１４５】
基地局は、予め定義された複数の非周期的ＣＳＩ−ＩＭリソース集合のうち、端末にＩＭＲとして用いるＭ個のリソースをビットマップでＲＲＣシグナリングのような上位層シグナリングを介して知らせる。この場合、各ビットと非周期的ＣＳＩ−ＩＭの設定は、１対１のマッチング（例えば、ＬＳＢ（ｌｅａｓｔ  ｓｉｇｎｉｆｉｃａｎｔ  ｂｉｔ）から順次に非周期的ＣＳＩ−ＩＭの設定順に従ってマッチング）され、当該ビットを１とシグナリングして当該リソースを用いてもよい。例えば、ＦＤ−ＭＩＭＯのような状況において、１０個の非周期的ＣＳＩ−ＩＭリソースが定義されているとき、端末に第２，３，５番目の非周期的ＣＳＩ−ＩＭリソースを用いて干渉を測定させるためには、０１１０１０００００の１０ビットのビットマップを端末にＲＲＣシグナリングによって知らせることができる。この端末に設定可能な非周期的ＣＳＩ−ＩＭリソースの最大数Ｍｍａｘは予め定義されてもよいが、このとき、後述するＬ２シグナリングの活性化（ａｃｔｉｖａｔｉｏｎ）の過程を行わない場合、後述するＤＣＩの非周期的ＣＳＩ−ＩＭリソース指示フィールドのビット番号ｎＩＭＲに対して、２ｎＩＭＲと同一か小さい値で定義されてもよい。当該非周期的ＣＳＩ−ＩＭリソース指示フィールドは、非周期的ＣＳＩ−ＩＭを測定しないことを指示するシグナリング状態を含むことができる。
【０１４６】
この場合、ＣＳＩ−ＩＭリソース集合が予め定義される必要があるが、これは、ＣＳＩ−ＲＳのためのリソース集合を共有することができる。また、アンテナポートによって互いに異なる複数のＩＭＲリソース集合が定義されてもよいが、このために、ＣＳＩ−ＩＭ設定にはａｎｔｅｎｎａＰｏｒｔｓＣｏｕｎｔのようにアンテナポートに対する設定が用いられてもよい。また、これはＣＳＩ−ＲＳに設定されたアンテナポート数と同一値を用いることと取り替えられることができる。
【０１４７】
ワン−ショット／半−持続的ＣＳＩ−ＩＭリソースが別として定義されてもよい。換言すれば、ＣＳＩ−ＩＭ設定のビットマップは、ワン−ショットＣＳＩ−ＩＭの設定と半−持続的ＣＳＩ−ＩＭの設定のためのビットマップとの２つが定義され、半−持続的ＣＳＩ−ＩＭの設定には周期がさらに設定されてもよい。
【０１４８】
上述したＡｌｔ  １とＡｌｔ  ２に共通して、干渉のチャネルに対する明示的なフィードバックのために、非周期的ＣＳＩ−ＩＭに干渉と同一か類似する効果を奏する、ＮＺＰ−ＣＳＩ−ＲＳと類似する形態の非周期的ＣＳＩ−ＩＭビームが送信され、干渉を測定しようとする端末が当該非周期的ＣＳＩ−ＩＭビーム（すなわち、ＮＺＰ−ＣＳＩ−ＲＳ）を測定して干渉のチャネル情報を取得することができる。これは、基地局が互いに異なるアナログビームに割り当てられた端末に対して相互間の干渉を管理しようとして、当該基地局／端末が明示的なフィードバックを使用可能な場合であれば、各端末の所望のチャネル（ｄｅｓｉｒｅｄ  ｃｈａｎｎｅｌ、図５を参照）に対する明示的なフィードバックでは所望のチャネルは測定することができるが、干渉チャネル（図５を参照）は測定できない。よって、干渉チャネルを直接測定した方が、基地局にとって正確な干渉ハンドリング（ｉｎｔｅｒｆｅｒｅｎｃｅ  ｈａｎｄｌｉｎｇ）を行うようにすることができる。
【０１４９】
また、端末がアドバンスド受信機（ａｄｖａｎｃｅｄ  ｒｅｃｅｉｖｅｒ）を用いて自分で干渉を除去する場合、端末は正確な干渉チャネルを測定することが有利である。
【０１５０】
このために、非周期的ＣＳＩ−ＩＭのシーケンスを生成するとき、一種のＣＳＩ−ＩＭビームインデックスを用いることができ、これは端末にＲＲＣシグナリングのような上位層シグナリングを介して知らせることができる。端末は当該非周期的ＣＳＩ−ＩＭビームインデックスを用いて、非周期的ＣＳＩ−ＩＭのシーケンスを受信して、当該干渉チャネルの情報を測定することができる。仮に、非周期的ＣＳＩ−ＩＭ設定が１つに限定される場合は、ＣＳＩ−ＩＭビームインデックスはセルＩＤに取り替えられることができる。或いは、ＣＳＩ−ＲＳのようなパラメータを用いて初期化してもよいが、これは後述するＣＳＩ−ＲＳ指示子又はＣＳＩ−ＩＭ指示子で、ＣＳＩ−ＲＳとＣＳＩ−ＩＭ、また複数のＣＳＩ−ＩＭの区分が可能な場合（例えば、ＤＣＩ内のフィールドの位置）に用いることができる。
【０１５１】
仮に、非周期的ＣＳＩ−ＩＭリソースに他の端末のためのＣＳＩ−ＲＳビームが干渉測定のために送信される場合、前記ＣＳＩ−ＩＭビームインデックスは、送信されるＣＳＩ−ＲＳビームインデックス（または、これと同等なシーケンス初期化パラメータ、例えば、セルＩＤ）に取り替えられることができる。この場合、各々のアナログビーム（または、これと同様に、ＣＳＩ−ＲＳに適用されて送信される、互いに異なる空間リソース（ｓｐａｔｉａｌ  ｒｅｓｏｕｒｃｅ）をカバーするデジタルビーム）に対して、ＣＳＩ−ＲＳシーケンスはセルＩＤと共に、又はセルＩＤに代えて一種の「ビームインデックス」が与えられ、これを用いてＣＳＩ−ＲＳシーケンスを初期化する。すなわち、互いに異なるアナログビームに対して送信されるＣＳＩ−ＲＳのシーケンス初期化は、セルＩＤと共に、又はセルＩＤに代えて「ビームインデックス」を用いて行う必要がある。
【０１５２】
上述したＡｌｔ  １、Ａｌｔ  ２に共通して、ｐ＿Ｃと類似した電力指示子「ｐ＿Ｄ」が設定されてもよい。これは、基地局から送信されるＣＳＩ−ＩＭビームの電力が実際にＣＳＩ算出に適用されるときの電力仮定を知らせる値であって、特に、他の端末のためのＣＳＩ−ＲＳがブースト（ｂｏｏｓｔ）されて送信された場合、これを干渉としてＣＳＩ算出に用いるとき、当該電力ブースティングを補償するために用いられることができる。この例示の他にも、送信されたＣＳＩ−ＩＭの電力サイズを補正して、実際のＣＳＩ算出を行うために、当該値を基地局が端末に設定することができる。この電力指示子又は電力ブーストに関する値は、Ａｌｔ  １の場合、リソースごとに定義されることができ、Ａｌｔ  ２の場合、全体の非周期的ＣＳＩ−ＩＭに対して共通して適用されることができる。
【０１５３】
上述したＣＳＩ−ＩＭビーム初期化因子（すなわち、ビームインデックス）、また、必要に応じて、ｐ＿Ｄを特定のＣＳＩ−ＩＭ設定に含むことで、基地局は端末にいわゆる「干渉ＣＳＩ−ＲＳ（IＣＳＩ−ＲＳ）」を設定することができる。或いは、より良好な柔軟性のために、上述したＣＳＩ−ＩＭビーム初期化因子（すなわち、ビームインデックス）、また、必要に応じて、ｐ＿Ｄを全体のＣＳＩ−ＩＭで使用するように設定することができるが、この場合、Ｌ１／Ｌ２シグナリングを介して特定のＣＳＩ−ＩＭリソースが当該設定を用いるかどうか、すなわち、ＩＣＳＩ−ＲＳとして用いられるのかどうかを端末に知らせることができる。
【０１５４】
別にｐ＿Ｄが設定されず、当該ＣＳＩ−ＩＭがチャネル測定のためのＮＺＰ  ＣＳＩ−ＲＳとして設定されている場合、当該リソースに設定されているｐ＿Ｃ値を干渉電力指示子であるｐ＿Ｃとして用いることができる。
【０１５５】
Ａｌｔ  ３．リソース集合のみ（Ｒｅｓｏｕｒｃｅ  ｓｅｔ  ｏｎｌｙ）
【０１５６】
基地局はＬ３シグナリングを介して非周期的ＣＳＩ−ＩＭを設定する代わりに、非周期的ＣＳＩ−ＩＭとして用いられるリソース集合のみを設定することができる。これは、後述するＬ２シグナリングによる選択や、Ｌ１シグナリングによる選択において、Ｌ１シグナリング（例えば、ＤＣＩ）を介して、当該リソースで干渉を測定することになる。アンテナポート数によって互いに異なるリソース集合が定義されてもよい。この場合、半−持続的ＣＳＩ−ＩＭを用いるためには、共通周期設定が与えられるか、更なる柔軟性のために、後述するＤＣＩシグナリングで周期関連情報を与える必要がある。
【０１５７】
この場合にも、Ａｌｔ  ２のようにＣＳＩ−ＩＭビーム初期化因子（すなわち、ビームインデックス）、また、必要に応じて、ｐ＿Ｄを全体のＣＳＩ−ＩＭで用いるように設定することができるが、この場合、Ｌ１／Ｌ２シグナリングを介して特定のＣＳＩ−ＩＭリソースが当該設定を用いるかどうか、すなわち、ＩＣＳＩ−ＲＳとして用いられるかどうかを端末に知らせることができる。
【０１５８】
ここまでのＬ３シグナリングによるＣＳＩ−ＩＭ設定方式は、以下のＭＡＣ／ＤＣＩのようなＬ２／Ｌ１シグナリングを介して端末が選択可能なＣＳＩ−ＩＭのリソース候補を設定する方法である。仮に、Ｌ３シグナリング過程において、以下のＤＣＩシグナリングを介してハンドリングしようとする数の非周期的ＣＳＩ−ＩＭリソースが予め定められた場合（すなわち、Ｍ＝Ｋ）、後述するＬ２シグナリングを介したリソースの選択過程は使用しなくてもよい。
【０１５９】
３．２．Ｌ２シグナリングを用いた非周期的ＣＳＩ−ＩＭリソースの選択（Ａｐｅｒｉｏｄｉｃ  ＣＳＩ−ＩＭ  ｒｅｓｏｕｒｃｅ  ｓｅｌｅｃｔｉｏｎ  ｗｉｔｈ  Ｌ２  ｓｉｇｎａｌｉｎｇ）
【０１６０】
後述する動的シグナリングにおいて、ＤＣＩフィールドによってシグナリング可能な非周期的ＣＳＩ−ＩＭ設定よりも多いＭ個の非周期的ＣＳＩ−ＩＭ設定が定義された場合、Ｌ２シグナリングを介して、Ｌ３シグナリングで設定された非周期的ＣＳＩ−ＩＭのうち、後述する動的シグナリングにおけるＤＣＩでハンドリング可能な数の、実際に動的シグナリングを介して用いるＫ個の非周期的ＣＳＩ−ＩＭリソースを知らせることができる。これは
2019535181.tif 000024
ビットのビットマップのような方式で知らせることができる。この場合、各ビットと設定された非周期的ＣＳＩ−ＩＭは、１対１のマッチング（例えば、ＬＳＢから順次に非周期的ＣＳＩ−ＩＭ設定順に従ってマッチング）され、当該ビットを１とシグナリングすることで当該リソースを用いるようにすることができる。
【０１６１】
特に、この場合、複数のＣＳＩ−ＩＭリソース集合が設定され、当該設定のうち１つを後述する動的シグナリングによって指示することができる。すなわち、このようなＣＳＩ−ＩＭリソース集合が設定される場合、動的シグナリングの「Ｋ  ＣＳＩ−ＩＭリソースにおけるＣＳＩ−ＩＭリソース選択」は「Ｋ  ＣＳＩ−ＩＭリソース集合におけるＣＳＩ−ＩＭリソース集合選択」に取り替えられることができる。これと同様に、リソース集合を１つに設定して、後述するＤＣＩフィールドでＬ２シグナリングによって設定したＣＳＩ−ＩＭリソースを全て用いることができる。この場合、１つのＣＳＩ−ＩＭリソース集合に含まれるＣＳＩ−ＩＭリソース数の制限は、ＣＳＩのフィードバックペイロードやＣＳＩフィードバック時間の要求事項（特に、自己完結型の構造のためのＣＳＩフィードバックの場合）などの他の要素によって決定されることができる。
【０１６２】
また、他のパラメータによって使用するリソースの数Ｋを暗示的に定義することができる。例えば、（別として設定された）基地局のアナログビーム数（すなわち、ビーム管理のためにスイープ（ｓｗｅｅｐ）する基地局のビーム数）によって互いに異なるＫ値が定められてもよい。この場合、Ｌ３シグナリングで設定された非周期的ＣＳＩ−ＩＭの設定順に従ってＫ個を用いることができ、この場合、Ｌ２シグナリングを使用しない。
【０１６３】
このとき、同様な方式によって使用するＩＣＳＩ−ＲＳリソースを別として設定することができる。特に、この場合、Ｌ３シグナリング過程で設定されたＣＳＩ−ＩＭリソースのうち、ＩＣＳＩ−ＲＳを使用するリソースとＣＳＩ−ＩＭとして使用するリソースとを別々に設定して、この過程でＩＣＳＩ−ＲＳのＮＺＰ−ＲＳシーケンスを検出するための別のシグナリング（例えば、ビームＩＤ）が必要である場合、当該パラメータを設定することができる。
【０１６４】
この過程において、特定のリソースを半−持続的に使用するか否かを設定することができる。これは、Ｌ３シグナリング過程で設定されたＣＳＩ−ＩＭリソースのうち半−持続的ＣＳＩ−ＩＭで使用するリソースとワン−ショットＣＳＩ−ＩＭで使用するリソースとを別々に設定して、この過程で半−持続的ＣＳＩ−ＩＭに用いるための周期が必要である場合（すなわち、予め定義されていないか、後述する動的シグナリングによって設定しない場合）、周期を別として設定することができる。
【０１６５】
３．３．非周期的ＣＳＩ−ＩＭ指示のための動的シグナリング（Ｄｙｎａｍｉｃ  ｓｉｇｎａｌｉｎｇ  ｆｏｒ  ａｐｅｒｉｏｄｉｃ  ＣＳＩ−ＩＭ  ｉｎｄｉｃａｔｉｏｎ）
【０１６６】
基地局は、非周期的ＣＳＩ−ＩＭを測定すべきかどうか、及び上述した３．１、３．２の過程によって選択されたＫ（又は、Ｍ）個の非周期的ＣＳＩ−ＩＭのうちいずれのリソースを測定すべきかを端末にＤＣＩのようなＬ１シグナリングで知らせることができる。端末はＫ（又は、Ｍ）個の非周期的ＣＳＩ−ＩＭのうちＵＥ−特定のＤＣＩのｎＩＭＲビットの「非周期的ＣＳＩ−ＩＭ指示」で指示された非周期的ＣＳＩ−ＩＭにおいて干渉を用いてＣＳＩを算出／報告する。このとき、「非周期的ＣＳＩ−ＩＭ指示」のうち１つの状態は、非周期的ＣＳＩ−ＩＭを測定しないという指示であって、この場合には、ＣＳＩを算出するとき、ＣＳＩ−ＩＭの測定結果を使用しない。このとき、ｎＩＭＲビットのサイズは、１つのＣＳＩ−ＩＭのみをＣＳＩ算出に用いる場合、Ｋ値の最大値がＫＭＡＸであるとすると、
2019535181.tif 000025
と同一か小さく設定されることができる。
【０１６７】
Ｌ３／Ｌ２シグナリングのような上位層シグナリングによってＫ個の非周期的ＣＳＩ−ＩＭ集合が設定された場合、Ｌ１シグナリングはＫ個の非周期的ＣＳＩ−ＩＭリソース集合のうち１つを選択して、端末が当該非周期的ＣＳＩ−ＩＭリソース集合に含まれたリソースをＣＳＩフィードバックのための干渉測定に用いるように指示するシグナリングとなる。この場合、ＣＳＩ−ＩＭとＩＣＳＩ−ＲＳが１つの集合内に含まれてもよく、これは上位層シグナリングによって設定されてもよい。特別な場合として、Ｋ＝１であるとき、すなわち、１つの集合のみを設定する場合、１ビット非周期的ＣＳＩ−ＩＭ指示を用いて当該非周期的ＣＳＩ−ＩＭリソース集合を用いた非周期的ＣＳＩ−ＩＭの測定可否を端末に知らせることができる。
【０１６８】
上位層においてＫ１個の非周期的ＣＳＩ−ＩＭ（集合）と、Ｋ２個の非周期的ＩＣＳＩ−ＲＳ（集合）が設定された場合、それぞれに対して別々のシグナリングが上述と同様な方式によって与えられることができる。
【０１６９】
アンテナポート数に応じてＣＳＩ−ＩＭ（又は、ＲＥパターン）が別として設定されることができる。この場合、アンテナポート数に応じて非周期的ＣＳＩ−ＩＭ指示が意味するＣＳＩ−ＩＭ  ＲＥパターンが異なってもよい。このために、アンテナポート数を別としてシグナリングしてもよく、オーバーヘッドの減少のために非周期的ＣＳＩ−ＩＭ指示と共にジョイントエンコーディング（ｊｏｉｎｔ  ｅｎｃｏｄｉｎｇ）してもよい。或いは、別のシグナリング無しで、ＣＳＩ−ＲＳに用いられたアンテナポート数（別にシグナリングされるか、予め−定義された）のようなアンテナポート数を用いると仮定して、非周期的ＣＳＩ−ＩＭ指示を解釈することができる。
【０１７０】
３．１において上述したようなｐ＿Ｄ値をＬ３シグナリングなどの上位層シグナリングによって設定する代わりに、ＤＣＩによって知らせてもよい。これは、別としてシグナリングされるか、オーバーヘッドの減少のために、前記非周期的ＣＳＩ−ＩＭ指示とジョイントエンコーディングされてもよい。
【０１７１】
Ｌ２／Ｌ３シグナリングにおいてＣＳＩ−ＩＭリソースに共通して用いるシーケンス初期化因子（必要に応じてｐ＿Ｄ）が予め定義されるか、別として設定され、上位層シグナリングによってＩＣＳＩ−ＲＳとして用いられるＣＳＩ−ＩＭリソースが別として定義されていない場合、基地局は端末が選択したＣＳＩ−ＩＭリソースがＩＣＳＩ−ＲＳであるのか、すなわち、前記シーケンス初期化因子（必要に応じてｐ＿Ｄ）を用いて初期化されたシーケンスを用いて干渉チャネルを測定するか否かをＤＣＩなどのＬ１シグナリングを介して端末に知らせることができる。
【０１７２】
このために、基地局は、上位層シグナリングを介して選択されたＣＳＩ−ＩＭリソースのうち１つのリソースインデックスをＤＣＩシグナリングを介して端末に指定して、端末は当該リソースがＩＣＳＩ−ＲＳであると解釈して、端末は、当該リソースにおいて干渉を測定するときには、与えられたシーケンスを用いて測定を行うことができる。この測定結果は、後述する干渉ＣＳＩ（ＩＣＳＩ）の報告のために用いられる。このとき、ＣＳＩ−ＩＭリソースインデックスは、Ｌ２／Ｌ３シグナリングにおいて設定された順に従って設定されることができる。
【０１７３】
仮に、Ｌ２／Ｌ３シグナリングを介して設定された複数のＣＳＩ−ＩＭリソースの全体に対する測定をＤＣＩによって指示する場合、このＩＣＳＩ−ＲＳのシグナリングは、ＤＣＩビットの効果的な使用のために、当該非周期的ＣＳＩ−ＩＭ指示とジョイントエンコーディングされることができる。実施例として、以下の表の状態を用いることができる。
【０１７４】
【表５】
2019535181.tif 000026
【０１７５】
基地局は、端末にシーケンス初期化因子（及びｐ＿Ｄ）を設定したＣＳＩ−ＩＭリソース（すなわち、ＩＣＳＩ−ＲＳリソース）に対して、ＤＣＩを用いて当該リソースがＩＣＳＩ−ＲＳと指示しないことで、当該リソースを他のＣＳＩ−ＩＭと同一の方法で測定するように設定することができる。すなわち、この場合は、Ｌ３／Ｌ２設定ステップにおいて、潜在的にＩＣＳＩ−ＲＳとして使用可能なリソースを上述した方法によって設定して、当該リソースを実際にＩＣＳＩ−ＲＳとして使用する場合、上述した方法によって当該リソースをＩＣＳＩ−ＲＳとして端末に指示することができる。
【０１７６】
半−持続的ＣＳＩ−ＩＭの場合、この過程においてＣＳＩ−ＩＭ送信をイネーブル／ディセーブル（ｅｎａｂｌｅ／ｄｉｓａｂｌｅ）することができる。イネーブル及びディセーブルの信号を別々に定義することで、シグナリング間の混線を防止することができるが、シグナリングのオーバーヘッド減少の観点から、イネーブル／ディセーブルのシグナリングを統合して定義して、これを受信した端末は半−持続的ＣＳＩ−ＩＭ測定の活性／非活性と解釈することができる。すなわち、端末は、この活性／非活性の指示を受信した場合、当該リソースに対する干渉測定のオン／オフ（ｏｎ／ｏｆｆ）をトグル（ｔｏｇｇｌｅ）することができる。
【０１７７】
上位層シグナリングを介して半−持続的ＣＳＩ−ＩＭが別として設定されていないとき、ワン−ショットＣＳＩ−ＩＭ指示と共に、半−持続的ＣＳＩ−ＩＭのイネーブル／ディセーブルをシグナリングすることができる。すなわち、以下の表のような非周期的ＣＳＩ−ＩＭ指示が定義されることができる。
【０１７８】
【表６】
2019535181.tif 000027
【０１７９】
基地局が上位層シグナリングを介して半−持続的ＣＳＩ−ＩＭにおいて使用する周期を設定しなかった場合、基地局はＬ１シグナリングによって当該周期情報を端末に送信することができる。
【０１８０】
ＤＣＩの更なるオーバーヘッドを減らすために、非周期的ＣＳＩ−ＩＭの測定タイミングは別としてシグナリングしなくてもよいが、この場合には、予め定義された時点（例えば、非周期的ＣＳＩ−ＲＳを測定する時点）と同時点に測定することができる。特に、非周期的ＩＣＳＩ−ＲＳに対する指示の場合、後述する「非周期的ＩＣＳＩトリガリング」が受信された時点に測定することができる。この場合、非周期的ＣＳＩ−ＩＭ指示を送信することなく、非周期的ＣＳＩ−ＲＳ指示（又は、非周期的ＣＳＩ要請）に従って非周期的ＣＳＩ−ＩＭを測定することができる。
【０１８１】
非周期的ＣＳＩ−ＩＭを測定する別途のタイミングを端末に知らせることができる。説明の便宜のために、以下では、図６のように、参照時点「ｎＣＳＩＩＭ」、区間「ｐ」、ｎＣＳＩＩＭ＋ｐ（又は、ｎＣＳＩＩＭ−ｐ）の時点に行われる非周期的ＣＳＩ−ＩＭ測定の３つの時点を定義して用いる。
【０１８２】
区間ｐは、参照時点「ｎＣＳＩＩＭ」から、予め定義された集合内において端末が非周期的ＣＳＩ−ＩＭを測定しようとするサブフレーム（又は、これと同等な時間インデックス、例えば、シンボル）に該当する時点（すなわち、ｎＣＳＩＩＭ＋ｐ）のインデックスを基地局が知らせる。
【０１８３】
参照時点「ｎＣＳＩＩＭ」は、以下のように定義されることができる。各々の場合において、以下のようにｐの範囲の定義が異なってもよい。
【０１８４】
● 非周期的ＣＳＩ−ＩＭ指示時間基準：この場合、ＣＳＩ−ＩＭ測定時点は、ｎＣＳＩＩＭ＋ｐ時点であり、ｐは負ではない整数に限定することができる。仮に、端末が以前に測定したＣＳＩ−ＩＭの結果をＣＳＩ算出に用いる場合、ｐは負である整数を含んでもよい。
【０１８５】
● ＡＣＳＩ−ＲＳ時間基準（同一のＤＣＩ）：この場合、ＣＳＩ−ＩＭ測定時点は、ｎＣＳＩＩＭ＋ｐ時点であり、ｐは全ての整数を含んでもよい。
【０１８６】
● 報告時点基準：この場合、ｐは負ではない整数に限定して、ＣＳＩ−ＩＭ測定時点は、ｎＣＳＩＩＭ＋ｐの代わりにｎＣＳＩＩＭ−ｐが用いられてもよい。
【０１８７】
すなわち、ＤＣＩには前記「ｐ」値を端末に通知して、端末は予め定義された参照時点「ｎ」及び非周期的ＣＳＩ−ＩＭ測定時点ｎＣＳＩＩＭ＋ｐ（又は、ｎＣＳＩＩＭ−ｐ）に従って、シグナリングされた非周期的ＣＳＩ−ＩＭを測定する。
【０１８８】
特に、ｐ値は、予め定義された集合が定義され、当該集合から選択するインデックスとしてＩｐが端末に送信されてもよい。換言すれば、ｐ値、すなわち、区間値の集合が｛０，１，２，４｝と定義され、Ｉｐ＝３である場合、ｐ＝４として端末に理解されることができる。この区間の集合は、予め定義されるか、ＲＲＣシグナリングのような上位層シグナリングによって端末に設定されてもよい。
【０１８９】
上述したｎＣＳＩＩＭ及びｐがサブフレーム、シンボル、又はその他の時間インデックスとして解釈できるか否かに関するシグナリングをＤＣＩによって端末に知らせることができる。また、端末が用いるサービスによって、どの時間インデックスとして解釈されるのかが定義されてもよい。例えば、ＵＲＬＬＣ（ｕｌｔｒａ−ｒｅｌｉａｂｌｅ  ｌｏｗ  ｌａｔｅｎｃｙ  ｃｏｍｍｕｎｉｃａｔｉｏｎ）を用いる場合、ｎＣＳＩＩＭ及びｐはシンボル単位として解釈され、ぞの他の場合には、他の時間インデックス、例えば、サブフレームとして解釈されることができる。
【０１９０】
半−持続的ＣＳＩ−ＩＭの場合、ｎＣＳＩＩＭ＋ｐ（又は、ｎＣＳＩＩＭ−ｐ）時点に当該半−持続的ＣＳＩ−ＩＭの測定のオン／オフがシグナリングされると端末が理解することができる。特に、トリガリングがトグル方式で行われてもよく、この場合、現在、端末が半−持続的ＣＳＩ−ＩＭを測定していないとき、端末の半−持続的ＣＳＩ−ＩＭ測定は、ｎＣＳＩＩＭ＋ｐ（又は、ｎＣＳＩＩＭ−ｐ）時点からその次の半−持続的ＣＳＩ−ＩＭ指示のｎＣＳＩＩＭ＋ｐ（又は、ｎＣＳＩＩＭ−ｐ）時点までとなる。同時に、ＣＳＩ−ＩＭの送信オフセットがｎＣＳＩＩＭ＋ｐ時点に適用されると解釈することができる。
【０１９１】
１つの半−持続的ＣＳＩ−ＩＭに対して、複数の非周期的ＣＳＩ報告が定義されない場合、半−持続的ＣＳＩ−ＩＭが送信されるとき、ＭＲ（ｍｅａｓｕｒｅｍｅｎｔ  ｒｅｓｔｒｉｃｔｉｏｎ：ｏｎである場合、当該リソースの測定結果は、サブフレーム／スロットに対して平均せず、各測定ごとに独立して用いる）オン／オフに対する別のオン／オフシグナリングを定義せず、（非周期的）ＣＳＩ要請シグナリングを半−持続的ＣＳＩ−ＩＭのオフシグナリングとして用いることができる。すなわち、ワン−ショットと半−持続的ＣＳＩ−ＩＭとは両方ともＣＳＩ−ＩＭ指示から（非周期的）ＣＳＩ要請まで送信されることと仮定して、ワン−ショットＣＳＩ−ＩＭの場合、ＣＳＩ−ＩＭ指示と（非周期的）ＣＳＩ要請が同一のサブフレームで送信され、半−持続的ＣＳＩ−ＩＭの場合、ＣＳＩ−ＩＭ指示と（非周期的）ＣＳＩ要請が互いに異なるサブフレームで送信される形態として用いられることができる。
【０１９２】
半−持続的ＣＳＩ−ＩＭに対する上位層設定において、周期に対する設定が存在しない場合、ＤＣＩを介した周期シグナリングが端末に送信されることができる。端末は、指定されたＣＳＩ−ＩＭ測定開始時点をオフセットｎＣＳＩＩＭ＋ｐ時点として、設定された周期ｎｐに対して、サブフレーム番号ｎｓｆが（ｎｓｆ−（ｎＣＳＩＩＭ＋ｐ））ｍｏｄ  ｎｐ＝０を満たすサブフレームでＣＳＩ−ＩＭを測定することができる。
【０１９３】
３．４．干渉測定を考慮するフィードバック（Ｆｅｅｄｂａｃｋ  ｃｏｎｓｉｄｅｒｉｎｇ  ｉｎｔｅｒｆｅｒｅｎｃｅ  ｍｅａｓｕｒｅｍｅｎｔ）
【０１９４】
端末は、ＣＳＩ−ＩＭの測定方式によって、以下のオプション１、２に大別できる。
【０１９５】
Ｏｐｔｉｏｎ  １．ＣＳＩ−ＩＭ電力測定
【０１９６】
端末は、ＣＳＩ−ＩＭリソースから干渉電力を測定して、これは、端末がアタッチ（ａｔｔａｃｈ）されているＴＲＰで制御できない、又は制御しない干渉を意味する。端末は、測定された干渉を用いてＳＩＮＲを算出する方式を用いて、干渉の測定結果をＣＳＩに含ませて基地局に報告することができるが、すなわち、
2019535181.tif 000028
のように算出されたＳＩＮＲをベースとしてＣＳＩ、特にＣＱＩを算出して、基地局に報告することができる。このために、少なくとも１つのＣＳＩ−ＲＳ測定を同伴する必要がある。
【０１９７】
基地局は、ＣＳＩ−ＩＭリソースに干渉と類似したシグナリングを送信して、端末が予想される干渉サイズを測定するようにする。このとき、送信される干渉状況は、以下のようである。図８は、このような干渉状況を示す図である。
【０１９８】
１） 異なるアナログビームを用いる端末への干渉
【０１９９】
２） 同一のアナログビームを用いる他の端末への干渉
【０２００】
３） 他のＴＲＰからの送信への干渉
【０２０１】
特に、図８の３）のように、他のＴＲＰから送信される干渉のような状況を考慮することができる。よって、複数のＣＳＩ−ＩＭに対するＣＳＩを算出するとは、互いに異なる複数の干渉仮定に対するＣＳＩを算出して報告するという意味になり得る。端末は、各干渉仮定に対するＣＳＩをそれぞれ算出して報告することができる。このとき、ＣＳＩ−ＩＭ測定結果を使用しない干渉−無しの状況におけるＣＳＩも共に報告することができる。これは、いずれも非周期的ＣＳＩによって報告されることをベースとして、この場合、全てのＣＳＩを報告するためのフィードバックペイロードが十分であると仮定することができる。仮に、端末がフィードバックのオーバーヘッドを減少しようとする場合（例えば、周期的、マルチ−ショットのように、一時的に周期的なフィードバックを行う場合のように、フィードバックペイロードが制限される場合のために）、干渉のない状況におけるＣＱＩに対する各干渉仮定に関するデルタ−ＣＱＩ、すなわち、干渉のない状況のＣＱＩに対する変化量のみをさらに報告するか、全ての場合に基地局が同一のＰＭＩを用いると仮定して、各ＣＱＩ（又は、ＣＱＩ変化量）を報告することができる。
【０２０２】
或いは、端末は、ベスト（ｂｅｓｔ）ＣＱＩを生成するＣＳＩ−ＩＭのインデックスと共に、当該干渉を仮定したＣＳＩを報告するか（このときにも、ＣＳＩ−ＩＭ測定結果を使用しない干渉のない状況におけるＣＳＩを共に報告することができる）、ベストＮＩＡ  ＣＱＩを生成するＣＳＩ−ＩＭに対して、当該ＣＳＩ−ＩＭインデックスと共に、当該干渉を仮定したＣＳＩ  ＮＩＡ個を報告することができる。
【０２０３】
Ｏｐｔｉｏｎ  ２．干渉チャネル測定
【０２０４】
端末は、ＣＳＩ−ＩＭを測定するとき、当該リソースがＩＣＳＩ−ＲＳとシグナリングされた場合、端末は与えられたシーケンスを用いて当該ＣＳＩ−ＩＭリソースを測定して、特に、干渉チャネルを測定して、非周期的ＣＳＩ要請によって非周期的ＣＳＩ報告タイミングに基地局に報告することができる。この場合、基地局で制御できる干渉を端末が測定するようにすることであり、図８の１）又は２）、特に１）のようなパネル−間（ｉｎｔｅｒ−ｐａｎｅｌ）干渉がその対象となり得る。
【０２０５】
ＩＣＳＩのフィードバックを非周期的ＣＳＩ要請とは別として要請するための別の指示子を備えてもよい。基地局は、非周期的ＣＳＩ要請が送信されるＤＣＩに「ＩＣＳＩフィードバック要請」の指示子を含んで送信して、これを受信した端末は、当該フィールドによって異なるシグナリング（例えば、ＲＲＣシグナリング、又はＤＣＩを介した動的シグナリング）で与えられたＩＣＳＩ−ＲＳに対する干渉チャネル測定結果を基地局に報告する。この場合、ＩＣＳＩフィードバック要請に関するシグナリング（例えば、フィードバックタイミング指示など）が当該ＩＣＳＩフィードバック要請に伴われる。
【０２０６】
このＩＣＳＩフィードバック要請は、当該ＩＣＳＩ−ＲＳ指示と連結（ｔｉｅ）されて、測定と報告を同時にトリガするようにシグナリングされてもよい。
【０２０７】
干渉チャネル測定結果の報告方式は、明示的なフィードバックと暗示的なフィードバックとの２つの方式に分けることができる。
【０２０８】
Ａｌｔ  １．明示的なフィードバック（ｅｘｐｌｉｃｉｔ  ｆｅｅｄｂａｃｋ）
【０２０９】
端末は、測定した干渉のチャネル情報を直接報告するが、この値は、干渉チャネル固有ベクトルの各要素、共分散行列固有ベクトル（ｃｏｖａｒｉａｎｃｅ  ｍａｔｒｉｘ  ｅｉｇｅｎｖｅｃｔｏｒ）の各要素、又はチャネル係数（ｃｏｅｆｆｉｃｉｅｎｔ）そのものを量子化（ｑｕａｎｔｉｚｅ）して基地局に報告する方式を含む。これは、各要素の電力／位相（ｐｈａｓｅ）をそれぞれ量子化して送信することができ、フィードバックオーバーヘッドを減らすために位相のみを報告することができる。
【０２１０】
各干渉チャネルが及ぼす影響をより正確に報告するために、干渉チャネルのサイズを意味する値を量子化して基地局に報告することができる。報告する干渉チャネル強度（ｉｎｔｅｒｆｅｒｅｎｃｅ  ｃｈａｎｎｅｌ  ｉｎｔｅｎｓｉｔｙ）は、以下の値となる。
【０２１１】
● チャネル共分散行列の固有値（ｅｉｇｅｎｖａｌｕｅ）（同様に、チャネル行列の固有値＾２）
【０２１２】
● 雑音−制限された環境のための
2019535181.tif 000029
【０２１３】
● 干渉−制限された環境のための
2019535181.tif 000030
【０２１４】
ランクは、特定値（例えば、１）と固定されるか、最大ランクが固定されるか、又はＲＲＣシグナリングのような上位層シグナリングで設定されることができる。或いは、チャネル固有ベクトルフィードバックの場合、各固有ベクトルに対する固有値＾２値の閾値が定められ、当該閾値を超える固有値＾２値に該当する固有ベクトル集合を基地局に報告することができる。同様に、チャネル共分散行列に対する固有ベクトルフィードバックの場合、当該チャネル共分散行列の固有値が同一の役割を果たすことができる。
【０２１５】
逆に、最小の固有値に該当する固有ベクトル、及び固有値を報告することができる。これは端末への干渉が最小のチャネルを端末が基地局に報告することであり、この場合、上述した方法と逆の基準が定められることができる。例えば、チャネル固有ベクトルフィードバックの場合、各固有ベクトルに対する固有値＾２値の閾値が定められ、当該閾値よりも小さい固有値＾２値に該当する固有ベクトル集合を基地局に報告することができる。同様に、チャネル共分散行列に対する固有ベクトルフィードバックの場合、当該チャネル共分散行列の固有値が同一の役割を果たすことができる。
【０２１６】
Ａｌｔ  ２．暗示的フィードバック
【０２１７】
端末は、基地局が当該端末に最大に干渉するプリコーディングインデックス（又は、インデックス）を報告することができる。すなわち、基地局は、報告されたインデックス（又は、インデックス）に該当するプリコーディングを使用せず、また当該プリコーディング（集合）から最も直交したプリコーダを用いることを推奨する。このとき、プリコーダは、ＬＴＥ又はＮＲで用いる送信コードブックを使用することができる。
【０２１８】
各干渉チャネルが及ぼす影響をより正確に報告するために、干渉チャネルのサイズを意味する値を量子化して基地局に報告することができる。報告する干渉チャネル強度は、以下の値となり得る。
【０２１９】
● 雑音−制限された環境のための
2019535181.tif 000031
【０２２０】
● 干渉−制限された環境のための
2019535181.tif 000032
【０２２１】
ランクは、特定値（例えば、１）と固定されるか、最大ランクが固定されるか、又はＲＲＣシグナリングのような上位層シグナリングで設定されることができる。或いは、基地局がＩＮＲの高い干渉に対する報告を受けようとするとき、ＩＮＲに対する閾値が定められ、当該閾値を超えるＩＮＲに該当する干渉プリコーダ（集合）を基地局に報告することができる。逆に、基地局がＳＩＲの低い干渉に対する報告を受けようとするとき、ＳＩＲに対する閾値が定められ、当該閾値よりも小さいＳＩＲに該当する干渉プリコーダ（集合）を基地局に報告することができる。
【０２２２】
逆に、端末は、基地局が当該端末に最小に干渉するプリコーディングインデックスを報告することができる。この場合、基地局が端末から報告を受けたプリコーダを用いて、当該ＩＭＲリソースに代わるチャネルを使用する端末の支援に用いる（例えば、図５において、端末ａが報告したプリコーダを端末ｂの支援に用いる）ことができる。
【０２２３】
この場合、閾値−ベースで報告するプリコーダ番号を定める場合、基地局がＳＩＲの高い干渉に対する報告を受けようとするとき、ＳＩＲに対する閾値が定められ、当該閾値を超えるＳＩＲに該当する干渉プリコーダ集合を基地局に報告することができる。逆に、基地局がＩＮＲの低い干渉に対する報告を受けようとするとき、ＩＮＲに対する閾値が定められ、当該閾値よりも小さいＩＮＲに該当する干渉プリコーダ集合を基地局に報告することができる。
【０２２４】
干渉報告に用いられるプリコーダは、所望のチャネル（ｄｅｓｉｒｅｄ  ｃｈａｎｎｅｌ）に用いられるコードブックとは異なってもよい。例えば、クラスＡコードブックの場合、干渉チャネル測定に対するフィードバックに用いるコードブックのＯ１、Ｏ２（必要に応じて、Ｎ１、Ｎ２）を個別に設定することができる。
【０２２５】
上述した設定方法及びＡｌｔ  １とＡｌｔ  ２を用いて、以下のような実施例を考えることができる。明確性のために、再び言及すると、ＮＺＰ−ＣＳＩ−ＲＳは端末の所望のチャネルを測定するためのＲＳリソース、ＩＣＳＩ−ＲＳは端末の干渉チャネルを測定するためのＲＳリソース、ＣＳＩ−ＩＭは干渉電力の測定のためのリソースを意味する。
【０２２６】
● 実施例１
【０２２７】
■ ＲＲＣ設定：１つのＮＺＰ  ＣＳＩ−ＲＳ、１つのＩＣＳＩ−ＲＳ、Ｍ個のＣＳＩ−ＩＭリソース候補
【０２２８】
■ ＭＡＣ設定：Ｍ個のＣＳＩ−ＩＭリソース候補のうちＫ個のＣＳＩ−ＩＭ集合
【０２２９】
■ ＤＣＩシグナリング：Ｋ個のＣＳＩ−ＩＭ集合指示
【０２３０】
端末は、Ｋ個の干渉仮定に対するＣＳＩを測定して、ＩＣＳＩ−ＲＳリソースに対する干渉チャネルを測定することができる。特に、Ｋ＝１又はＭ＝１となり得る。
【０２３１】
ＩＣＳＩ−ＲＳ指示が別途に与えられる場合、ＣＳＩ−ＩＭ測定とは別としてＩＣＳＩ−ＲＳを測定して、後述する方法で干渉チャネル情報を報告することができる。
【０２３２】
● 実施例２
【０２３３】
■ ＲＲＣ設定：１つのＮＺＰ  ＣＳＩ−ＲＳ、Ｍ個のＣＳＩ−ＩＭリソース候補
【０２３４】
■ ＭＡＣ設定：Ｍ個のＣＳＩ−ＩＭリソース候補のうちＫ個のＣＳＩ−ＩＭリソース
【０２３５】
■ ＤＣＩシグナリング：Ｋ１個のＩＣＳＩ−ＲＳ、Ｋ２個のＣＳＩ−ＩＭ指示
【０２３６】
基地局は、ＤＣＩを介してＫ１個のＩＣＳＩ−ＲＳ、Ｋ２個のＣＳＩ−ＩＭをそれぞれ指定する。端末は、Ｋ２個のＣＳＩ−ＩＭ干渉仮定に対するＣＳＩを測定して、Ｋ１個のＩＣＳＩ−ＲＳリソースに対する干渉チャネルを測定することができる。特に、Ｋ１、Ｋ２＝１となり得る。
【０２３７】
● 実施例３
【０２３８】
■ ＲＲＣ設定：１つのＮＺＰ  ＣＳＩ−ＲＳ、Ｍ個のＣＳＩ−ＩＭリソース候補
【０２３９】
■ ＭＡＣ設定：Ｋ１個のＩＣＳＩ−ＲＳを含むＫ個のＣＳＩ−ＩＭ集合、及びＭ個のＣＳＩ−ＩＭリソース候補のうちＫ２個のＣＳＩ−ＩＭリソース
【０２４０】
■ ＤＣＩシグナリング：１つのＣＳＩ−ＩＭ集合指示
【０２４１】
端末は、シグナリングされたＣＳＩ−ＩＭ集合に含まれたＫ２個のＣＳＩ−ＩＭ干渉仮定に対するＣＳＩ及びＫ１個のＩＣＳＩ−ＲＳリソースに対する干渉チャネル測定結果を測定することができる。この場合、Ｋ１又はＫ２＝０となり得る。
【０２４２】
● 実施例４
【０２４３】
■ ＲＲＣ設定：１つのＮＺＰ  ＣＳＩ−ＲＳ、Ｍ個のＣＳＩ−ＩＭリソース候補
【０２４４】
■ ＭＡＣ設定：Ｍ個のＣＳＩ−ＩＭリソース候補のうち複数のＩＣＳＩ−ＲＳリソースを含むＫ１個のＩＣＳＩ−ＲＳ集合、及び複数のＣＳＩ−ＩＭリソースを含むＫ２個のＣＳＩ−ＩＭ集合
【０２４５】
■ ＤＣＩシグナリング：１つのＩＣＳＩ−ＲＳ集合及び１つのＣＳＩ−ＩＭ集合指示
【０２４６】
端末は、シグナリングされたＣＳＩ−ＩＭ集合に含まれたＣＳＩ−ＩＭ干渉仮定に対するＣＳＩ及びＩＣＳＩ−ＲＳ集合に含まれたＩＣＳＩ−ＲＳリソースに対する干渉チャネル測定結果を測定することができる。
【０２４７】
ＩＣＳＩが別のタイミングで報告される場合、基地局は、端末のＩＣＳＩフィードバックタイミングを別として指定することができる。基地局は、ＩＣＳＩ報告を指示する当該（非周期的）ＣＳＩ要請（又は、ＩＣＳＩフィードバック要請）がサブフレームｎにおいて端末に受信される場合、ＩＣＳＩはｎ＋ｋ時点に報告するように設定されることができる。図９は、ＩＣＳＩフィードバック時点を示す。ここで、ｋ値は、定義された集合内で「ＩＣＳＩフィードバックタイミング指示子」によって端末に知らせることができるが、ｋ値の集合は、予め定義されるか、ＲＲＣシグナリングなどの上位層シグナリングで設定されることができる。特に、この場合、ＣＳＩ−ＩＭの数、全干渉アンテナポート数、広帯域／副帯域によって互いに異なるプロセッシング時間が期待されるため、それぞれの基準（ｃｒｉｔｅｒｉａ）に従って互いに異なるｋ値の集合が定義されてもよい。
【０２４８】
このｋ値は、特に、特定の単一値に予め定義されるか、ＲＲＣのような上位層シグナリングで設定されることができる。特に、この場合、ＣＳＩ−ＩＭの数、全干渉アンテナポート数、広帯域／副帯域によって互いに異なるｋ値が定義されてもよい。
【０２４９】
フィードバックタイミングのためのｋを非周期的ＣＳＩ要請時点から定義する場合、実際にＣＳＩ−ＩＭを用いてＩＣＳＩを算出するのに必要な時間とは意味が異なり得る。よって、ｋをＣＳＩ−ＩＭの測定タイミングからＩＣＳＩがフィードバックされる時点までの時間と定義することができる。このとき、ＣＳＩ−ＩＭの指示が非周期的ＣＳＩ要請との分離可否によって、以下のような状況と区分することができる。
【０２５０】
Ｃａｓｅ  １．ＣＳＩ−ＩＭの測定時点が非周期的ＣＳＩ要請の受信後の時点
【０２５１】
図１０は、上述のような例を示す図である。ＩＣＳＩフィードバックタイミングサブフレームｎ＋ｋにおいて、非周期的ＣＳＩ要請時点、サブフレームｎの代わりにＣＳＩ−ＩＭの送信時点、サブフレームｍからｋが定義されることと取り替えて用いることができる。すなわち、ＩＣＳＩフィードバックタイミングは、サブフレームｍ＋ｋ時点である。  
【０２５２】
図１１は、別のＤＣＩにＣＳＩ−ＩＭ指示が送信されるものの、当該ＤＣＩが非周期的ＣＳＩ要請が含まれたＤＣＩよりも長いか、より後に送信される場合を示す。この場合にも、ＩＣＳＩフィードバックタイミングは、サブフレームｍ＋ｋである。但し、図１０の例とは異なり、非周期的ＣＳＩ要請は、参照リソースとなるＣＳＩ−ＩＭを直接指定する代わりに、当該ＣＳＩ−ＩＭに対する内容を含むＤＣＩを指定することができる。
【０２５３】
Ｃａｓｅ  ２．ＣＳＩ−ＩＭを指示する別のＤＣＩ（ＵＬ、ＤＬ）が非周期的ＣＳＩ要請よりも先行
【０２５４】
図１２は、上述のような例を示す図である。
【０２５５】
この場合、具体的に、非周期的ＣＳＩ要請よりもＣＳＩ−ＩＭの測定タイミングが先行することができる。このために、サブフレームｍ＋ｋ時点がサブフレームｎ時点よりも先行する可能性がある。よって、この場合、実際の非周期的ＣＳＩ報告時点の最小値ｋｍｉｎが定義されることができる。このとき、ｋｍｉｎは、以下のように用いられることができる。
【０２５６】
ｉ．非周期的ＣＳＩ報告時点は、Ｍａｘ（ｍ＋ｋ，ｎ＋１）と定義されることができる。
【０２５７】
ｉｉ．ｍ＋ｋ＜ｎ＋１であるとき、該ＣＳＩ−ＩＭを用いたＩＣＳＩの報告を行わない。
【０２５８】
上述した２つのケースに共通して、ＩＣＳＩに対する（非周期的）ＣＳＩ要請をフィードバック時点と共に基地局が端末に送信する場合、ＣＳＩフィードバック時点から少なくともｋサブフレーム以前にはＣＳＩ−ＩＭが送信される必要がある。よって、基地局がＩＣＳＩを報告するようにトリガした場合、端末は（（非周期的）ＣＳＩ報告時点−k）（例えば、（非周期的ＣＳＩ報告時点からｋ個のサブフレーム以前のサブフレーム）以後に、ＣＳＩ−ＩＭが送信されることを期待せず、当該時点以前に送信されたＣＳＩ−ＩＭを用いてＩＣＳＩを算出する。仮に、基地局がＣＳＩ−ＩＭを（ＩＣＳＩ報告時点−ｋ）以後に送信する場合、端末はＩＣＳＩ報告を省略してもよく、ＩＣＳＩを更新せずに報告してもよい。
【０２５９】
３．５．ワン−ショット／半−持続的ＣＳＩ−ＩＭ
【０２６０】
非周期的ＣＳＩ−ＩＭは、ＣＳＩ−ＩＭとＩＣＳＩ−ＲＳとの両方に適用することができ、この場合、２つのＣＳＩ−ＩＭの送信／測定タイミングに対するＬ１シグナリングが別として設定されなければならない。また、非周期的ＣＳＩ−ＩＭ送信タイミングは、非周期的ＣＳＩ−ＲＳの送信タイミングと分離（ｄｅｃｏｕｐｌｅ）されてもよい。換言すれば、非周期的ＣＳＩ−ＲＳ、非周期的ＣＳＩ−ＩＭ、非周期的ＩＣＳＩ−ＲＳの送信／測定タイミングに対するＬ１シグナリングは別として設定されてもよい。
【０２６１】
ＤＣＩオーバーヘッドを減らすために、以下の表のように、ＮＺＰ  ＣＳＩ−ＲＳとＣＳＩ−ＩＭ、ＩＣＳＩ−ＲＳのシグナリングをジョイントエンコーディングして送信することができる。基本的なリソース設定方式は、上述したＬ２／Ｌ３シグナリングを用いた方式であるが、別のＬ２／Ｌ３シグナリングによって、ＤＣＩで指定するＲＳグループを設定することができる。各ＲＳグループには１つ以上のＲＳが含まれ、３つのＲＳタイプ（すなわち、ＮＺＰ  ＣＳＩ−ＲＳ、ＣＳＩ−ＩＭ、IＣＳＩ−ＲＳ）のうち１つ以上が含まれることができる。特に、ＮＺＰ  ＣＳＩ−ＲＳなく、ＣＳＩ−ＩＭやＩＣＳＩ−ＲＳのみを含むＲＳグループを設定することもできる。
【０２６２】
【表７】
2019535181.tif 000033
【０２６３】
当該シグナリングを端末が受信する場合、端末は当該ＲＳグループに含まれたＲＳ（ｓ）に対してチャネル及び／又は干渉測定を行う。これは、特に、報告時点と測定指示時点との分離が必要な場合を支援するのに有効である。例えば、非周期的ＣＳＩ報告を半−持続的ＮＺＰ ＣＳＩ−ＲＳ、ＣＳＩ−ＩＭをベースとして行う場合、干渉の測定は非周期的ＣＳＩ報告時点とは別として端末にシグナリングすることが望ましい。このような状況は、基地局が端末に現在使用しない他のＴＲＰ／ビームに対するＣＳＩを算出させるときのように、端末が一定区間の間に、他の受信機ビームを用いた測定を行う場合に有効である。
【０２６４】
この場合、端末は、当該ＤＣＩシグナリングで指定するタイミングで当該ＲＳグループのリソースが全て送信されると仮定する。
【０２６５】
仮に、ＲＲＣ設定などのＬ３シグナリングでＲＳグループを設定して、当該ＲＳグループの数がＤＣＩで選択可能な数より多い場合、ＭＡＣ  ＣＥ（ｃｏｎｔｒｏｌ  ｅｌｅｍｅｎｔ）などのＬ２シグナリングによってＤＣＩで選択可能な数だけのＲＳグループを選択することができる。
【０２６６】
更なるオーバーヘッドの減少のために、前記信号は、以下の表のように、非周期的ＣＳＩ要請とジョイントエンコーディングされることができる。これは、特に、非周期的ＣＳＩ要請において測定すべきＮＺＰ  ＣＳＩ−ＲＳ及びＣＳＩ−ＩＭ、ＩＣＳＩ−ＲＳグループが予め設定されている必要があるため、これを一度に選択した方が好ましい。これは、特に、測定時点が同一のＲＳグループ、例えば、非周期的ＮＺＰ  ＣＳＩ−ＲＳ、ＣＳＩ−ＩＭ及び／又はＩＣＳＩ−ＲＳに対する非周期的ＣＳＩを測定／報告しようとするときに有効である。
【０２６７】
【表８】
2019535181.tif 000034
【０２６８】
非周期的ＣＳＩ−ＩＭは、以下のように分けることができる。
【０２６９】
１．ワン−ショットＣＳＩ−ＩＭ
【０２７０】
Ａ．ＣＳＩ−ＩＭの送信／測定が特定の時点に行われる方法である。ワン−ショットＣＳＩ−ＲＳと共に用いることができる。
【０２７１】
Ｂ．半−持続的ＣＳＩ−ＲＳ、ワン−ショットＣＳＩ−ＩＭのような状況において、特定の時点に異なる干渉仮定を適用したＣＳＩの報告を受けようとするときに用いられる。この場合、既存に用いたＣＳＩ−ＩＭからの干渉測定結果の代わりに、新たに指定されたリソースからの干渉測定結果を用いてＣＳＩを算出／報告することができる。
【０２７２】
２．半−持続的ＣＳＩ−ＩＭ
【０２７３】
Ａ．ＣＳＩ−ＩＭの送信／測定が一定区間の間に行われる方法である。この場合、別の非周期的ＣＳＩ要請が与えられない場合、ＣＳＩ−ＩＭの測定は、与えられた区間を平均することを基本動作とすることができる。
【０２７４】
Ｂ．ワン−ショットＣＳＩ−ＲＳ、半−持続的ＣＳＩ−ＩＭの場合、半−持続的ＣＳＩ−ＩＭを予め送信して、安定した干渉測定ができる区間において干渉を測定した後、非周期的ＣＳＩ−ＲＳの測定と共にＣＳＩを報告することができる。
【０２７５】
ｉ．図１３のように、別のＣＳＩ−ＩＭ送信オフ（ｏｆｆ）シグナリングを定義することなく、ワン−ショットＣＳＩ−ＲＳの指示、同伴する半−持続的ＣＳＩ−ＲＳの終了時点、又は（非周期的）ＣＳＩ要請を半−持続的ＣＳＩ−ＩＭ送信オフシグナリングとして用いることができる。
【０２７６】
Ｃ．半−持続的ＣＳＩ−ＲＳ、半−持続的ＣＳＩ−ＩＭの場合、ＣＳＩ−ＲＳの送信中に他の干渉仮定を含ませようとするときに用いることができる。例えば、半−持続的ＣＳＩ−ＲＳ及び半−持続的ＣＳＩ−ＩＭが存在して、これに基づいてＣＳＩを算出／報告するが、特定の時点に新たな干渉仮定を仮定して算出しようとするとき、この方法を用いることができる。すなわち、当該時点から新たな干渉仮定が用いられたＣＳＩが報告されることができ、そのために、当該シグナリングに新たな干渉仮定を指示する半−持続的ＣＳＩ−ＩＭ指示が非周期的ＣＳＩ要請と共に送信されることができる。
【０２７７】
Ｄ．アナログ／デジタルビーム再選択のような状況において、長期（ｌｏｎｇ−ｔｅｒｍ）干渉測定を必要とする場合（例えば、ＳＩＮＲベースのビームの再選択）に用いることができる。
【０２７８】
この場合、ワン−ショットＣＳＩ−ＩＭと半−持続的ＣＳＩ−ＩＭは、互いに異なるＣＳＩ−ＩＭ種類に対してその使用が制限されてもよい。例えば、ワン−ショットＣＳＩ−ＩＭは、ＣＳＩ−ＩＭを用いた電力測定ベースの干渉測定及びＩＣＳＩ−ＲＳを用いた干渉チャネル測定の両方に用いることができるが、半−持続的ＣＳＩ−ＩＭは、ＣＳＩ−ＩＭを用いた電力測定ベースの干渉測定にのみ用いることができる。よって、この場合、ＣＳＩ−ＩＭ指示のＬ１シグナリングは、半−持続的ＣＳＩ−ＩＭのオン／オフを含むことができるが、ＩＣＳＩ−ＲＳ指示のＬ１シグナリングは半−持続的ＩＣＳＩ−ＲＳのオン／オフシグナリングを含まなくてもよい。
【０２７９】
上述した端末又は基地局などの動作を実施に適用するときには、単独又は組み合わせで適用することができる。
【０２８０】
図１４は、本発明の一実施例による動作を示す図である。図１４は、無線通信システムにおいて、干渉測定のための方法であって、この方法は、端末によって行われる。前記端末は、半−持続的（ｓｅｍｉ−ｐｅｒｓｉｓｉｔｅｎｃｅ）チャネル状態情報−干渉測定（ｃｈａｎｎｅｌ  ｓｔａｔｅ  ｉｎｆｏｒｍａｔｉｏｎ−ｉｎｔｅｒｆｅｒｅｎｃｅ  ｍｅａｓｕｒｅｍｅｎｔ；ＣＳＩ−ＩＭ）設定を含む干渉測定設定情報を受信することができる（Ｓ１４１０）。それから、前記端末は、前記半−持続的ＣＳＩ−ＩＭ設定に対する測定を指示する要請を受信することができる（Ｓ１４２０）。前記端末は、前記受信された要請に従って、前記半−持続的ＣＳＩ−ＩＭ設定に対する測定を行うことができる（Ｓ１４３０）。前記半−持続的ＣＳＩ−ＩＭ設定は、一定の時間区間に予め設定された周期のＣＳＩ−ＩＭを指示することができる。
【０２８１】
前記端末は、前記半−持続的ＣＳＩ−ＩＭ設定に対する前記端末の測定が開始される時点に関する情報を受信することができる。
【０２８２】
前記半−持続的ＣＳＩ−ＩＭ設定に対する測定の指示は、ＣＳＩ報告要請を含むか、前記ＣＳＩ報告要請と共に受信されることができる。前記ＣＳＩ報告要請は、前記半−持続的ＣＳＩ−ＩＭ設定の終了、非活性化又はオフ（ｏｆｆ）を指示することができる。
【０２８３】
前記端末は、前記半−持続的ＣＳＩ−ＩＭ設定に関する電力補償値に対する情報を受信することができる。前記電力補償値は、前記チャネル状態情報−干渉測定に用いられることができる。
【０２８４】
前記半−持続的ＣＳＩ−ＩＭ設定に対する測定の報告が、前記半−持続的ＣＳＩ−ＩＭ設定に対する測定の指示が受信されたサブフレームｍから予め決定された数（ｋ）のサブフレーム以後のサブフレームｍ＋ｋで行われるように決定される場合、前記半−持続的ＣＳＩ−ＩＭ設定に対する測定の指示がＣＳＩ報告要請よりも先に受信されると、前記サブフレームｍ＋ｋ又はその後のサブフレームで受信されるＣＳＩ報告要請に対応する前記半−持続的ＣＳＩ−ＩＭ設定に対する測定の報告は省略されることができる。  
【０２８５】
以上、図１４を参照して、本発明による実施例を簡略的に説明したが、図１４による実施例は、上述した実施例のうち少なくとも一部を代案的に又は追加的に含むことができる。
【０２８６】
図１５は本発明を行う送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システムにおける通信と関連した各種情報を記憶するメモリ１２，２２、送信機／受信機１３，２３及びメモリ１２，２２などの構成要素と動作的に連結され、該当の装置が前述の本発明の実施例のうち少なくとも一つを実行するようにメモリ１２，２２及び／又は送信機／受信機１３，２３を制御するように構成されたプロセッサ１１，２１とをそれぞれ備える。  
【０２８７】
メモリ１２，２２は、プロセッサ１１，２１の処理及び制御のためのプログラムを格納することができ、入／出力される情報を仮記憶することができる。メモリ１２，２２がバッファーとして活用されてもよい。プロセッサ１１，２１は、通常、送信装置又は受信装置における各種モジュールの動作全般を制御する。特に、プロセッサ１１，２１は、本発明を実行するための各種制御機能を果たすことができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶことができる。プロセッサ１１，２１は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などをプロセッサ１１，２１に備えることができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行できるように構成されたファームウェア又はソフトウェアは、プロセッサ１１，２１内に設けられたりメモリ１２，２２に格納されてプロセッサ１１，２１によって駆動されるようにすることができる。  
【０２８８】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後、送信機／受信機１３に送信する。例えば、プロセッサ１１は、送信しようとするデータ列を逆多重化、チャネル符号化、スクランブリング及び変調などをしてＫ個のレイヤに変換する。符号化されたデータ列はコードワードとも呼ばれ、ＭＡＣ層が提供するデータブロックである送信ブロックと等価である。一送信ブロック（ｔｒａｎｓｐｏｒｔ  ｂｌｏｃｋ、ＴＢ）は一コードワードに符号化され、各コードワードは一つ以上のレイヤの形態で受信装置に送信される。周波数アップ変換のために  送信機／受信機１３はオシレータ（ｏｓｃｉｌｌａｔｏｒ）を含むことができる。送信機／受信機１３はＮｔ個（Ｎｔは１以上の正の整数）の送信アンテナを含むことができる。
【０２８９】
受信装置２０の信号処理過程は、送信装置１０の信号処理過程の逆となる。プロセッサ２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数ダウン変換して（ｆｒｅｑｕｅｎｃｙ  ｄｏｗｎ−ｃｏｎｖｅｒｔ）基底帯域信号に復元する。送信機／受信機２３は、周波数ダウン変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０２９０】
送信機／受信機１３，２３は一つ以上のアンテナを具備する。アンテナは、プロセッサ１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組み合わせによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ、ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素（ｅｌｅｍｅｎｔ）からの合成（ｃｏｍｐｏｓｉｔｅ）チャネルであるかに関係なく、受信装置２０にとって当該アンテナに対するチャネル推定を可能にする。即ち、アンテナは、該アンテナ上のシンボルを伝達するチャネルが同一アンテナ上の他のシンボルが伝達される上記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送信機／受信機の場合は２個以上のアンテナに接続されてもよい。
【０２９１】
本発明の実施例において、端末又はＵＥは、上りリンクでは送信装置１０として動作して、下りリンクでは受信装置２０として動作する。本発明の実施例において、基地局又はｅＮＢは、上りリンクでは受信装置２０として動作して、下りリンクでは送信装置１０として動作する。
【０２９２】
前記送信装置及び／又は前記受信装置は、上述した本発明の実施例のうち少なくとも１つ又は２つ以上の実施例の組み合わせを行うことができる。
【０２９３】
以上開示した本発明の好適な実施の形態に関する詳細な説明は、当業者が本発明を具現して実施できるように提供された。以上では本発明の好適な実施の形態を参照して説明したが、当該技術の分野における熟練した当業者にとっては上述の説明から本発明を様々に修正及び変更可能であるということが理解できる。したがって、本発明は、ここに開示した実施の形態に制限されるものではなく、ここに開示した原理及び新規な特徴と一致する最も広い範囲を与えようとするものである。
【産業上の利用可能性】
【０２９４】
本発明は、端末、リレー、基地局などのような無線通信装置に用いられることができる。
【図１】
2019535181.tif 000035
【図２】
2019535181.tif 000036
【図３】
2019535181.tif 000037
【図４】
2019535181.tif 000038
【図５】
2019535181.tif 000039
【図６】
2019535181.tif 000040
【図７】
2019535181.tif 000041
【図８】
2019535181.tif 000042
【図９】
2019535181.tif 000043
【図１０】
2019535181.tif 000044
【図１１】
2019535181.tif 000045
【図１２】
2019535181.tif 000046
【図１３】
2019535181.tif 000047
【図１４】
2019535181.tif 000048
【図１５】
2019535181.tif 000049
【国際調査報告】
2019535181.tif 000050
2019535181.tif 000051
2019535181.tif 000052
2019535181.tif 000053